(57)【要約】【課題】ＬＵＴを格納するためのメモリの容量を削減する。また、温度等の付加的条件に鑑み、自然な高速表示を行う。【解決手段】本発明の液晶表示装置は、後階調データと、前階調データと、温度センサー８からの測定データとを受信するとともに、ＬＵＴメモリ１２に記憶した複数個のＬＵＴを参照しながら補間演算することで、階調表示に必要な階調データを目標階調データとして算出する印加階調値取得部を含む。この印加階調値取得部によるテーブル補間値から上記の測定データに応じた補間演算を行うことで、上記目標階調データを算出する。これにより、種々の付加的条件を考慮しながら、局所座標を用いた補間演算により高精度の目標階調データ（補間値）を求める。【選択図】　図１
2004004629.tif 000002
【特許請求の範囲】
【請求項１】
それぞれ、複数の前階調値及び後階調値と、液晶ディスプレイに印加される対応階調電圧値とを格納する少なくとも一つのルックアップテーブルと、
少なくとも一つの上記ルックアップテーブルを参照し、前階調から後階調に上記液晶ディスプレイを変えるために上記液晶ディスプレイに印加される階調電圧値を決定する印加階調値取得手段とを備え、
対応印加階調値は、それに係る前階調値及び後階調値が格納された、少なくとも一つの上記ルックアップテーブルから読み出されると共に、印加階調値は、前階調軸及び後階調軸を含む局所座標系、並びにこの局所座標系内で格納済の前階調値及び後階調値に対応する複数の印加階調値を使用して行う補間により決定される液晶表示装置。
【請求項２】
少なくとも一つの上記ルックアップテーブルは、上記液晶の応答特性を変化させる付加的条件に応じて設けられた少なくとも一つの付加的条件用ルックアップテーブルを含み、
前階調から後階調に上記ディスプレイを変える上記印加階調値は上記付加的条件に応じて変化し、
上記印加階調値取得手段は、少なくとも一つの上記付加的条件用ルックアップテーブルを使用して上記補間演算を行うことを特徴とする請求項１に記載の液晶表示装置。
【請求項３】
上記印加階調値取得手段は、局所座標系を用いて補間演算を行うにあたり、表示されるべき前階調値及び後階調値に近い、格納済の前階調値および後階調値の４つの組み合わせを選択し、そのうちの１つの組み合わせを上記局所座標系の原点として使用し、該原点と他の組み合わせとの差分を局所変数として使用することを特徴とする請求項２に記載の液晶表示装置。
【請求項４】
上記印加階調値取得手段は、上記前階調と上記後階調と上記付加的条件とで定義される軸に付随する局所座標系を用いて補間演算を行うことを特徴とする請求項２に記載の液晶表示装置。
【請求項５】
上記付加的条件は温度であることを特徴とする請求項２に記載の液晶表示装置。
【請求項６】
上記印加階調値取得手段は、上記局所座標系を用いて補間演算を行うにあたり、上記付加的条件に近い２つのルックアップテーブルを用い、表示されるべき前階調値及び後階調値に近い、格納済の前階調値および後階調値の４つの組み合わせを選択し、これら８つの組み合わせのうちの１つをこれら８つの組み合わせを有する上記局所座標系の原点とし、該原点と他の組み合わせとの差分を局所変数として用いることを特徴とする請求項４に記載の液晶表示装置。
【請求項７】
上記印加階調値取得手段は、上記局所座標系を用いて補間演算を行うにあたり、表示されるべき前階調値及び後階調値に近い、格納済の前階調値および後階調値の４つの組み合わせを選択し、そのうちの１つの組み合わせを上記局所座標系の原点として使用し、該原点と他の組み合わせとの差分を局所変数として使用することを特徴とする請求項１に記載の液晶表示装置。
【請求項８】
局所座標系で表される空間は、格納済の印加階調値の組み合わせを頂点とするｎ＋１の数の頂点からなる領域に分割され、局所座標系の座標軸の数は、ｎ（ｎは２以上の整数）に等しく、上記印加階調値取得手段は、どのような分割領域においても上記補間を行うことを特徴とする請求項１に記載の液晶表示装置。
【請求項９】
上記印加階調値取得手段は、さらに、上記のｎ＋１の数の頂点に加え、該ｎ＋１の頂点を各々接続した辺に位置する中間点を用いて補間演算を行うことを特徴とする請求項８に記載の液晶表示装置。
【請求項１０】
それぞれ、複数の前階調値及び後階調値と、液晶ディスプレイに印加される対応階調電圧値とを格納する少なくとも一つのルックアップテーブルと、
印加階調値が少なくとも一つの上記ルックアップテーブルに格納されていない場合、少なくとも一つの上記ルックアップテーブルを参照し、前階調から後階調に上記液晶ディスプレイを変えるために上記液晶ディスプレイに印加される階調電圧値を決定する印加階調値取得手段とを備えた液晶表示装置。
【請求項１１】
上記印加階調値取得手段は、上記前階調及び後階調を軸とする局所座標を用いて補間演算することを特徴とする請求項１０に記載の液晶表示装置。
【請求項１２】
少なくとも一つの上記ルックアップテーブルは、上記液晶の応答特性を変化させる少なくとも一つの付加的条件に応じて用意されると共に、少なくとも一つの該付加的条件間を間引いて用意され、
上記印加階調値取得手段は、該当する付加的条件に合ったルックアップテーブルがない場合に、少なくとも一つの上記ルックアップテーブルに格納された印加階調値を用いて補間演算した値を上記印加階調値として決定することを特徴とする請求項１０に記載の液晶表示装置。
【請求項１３】
局所座標系で表される空間は、格納済の印加階調値の組み合わせを頂点とするｎ＋１の数の頂点からなる領域に分割され、局所座標系の座標軸の数は、ｎ（ｎは２以上の整数）に等しく、上記印加階調値取得手段は、どのような分割領域においても上記補間を行うことを特徴とする請求項２に記載の液晶表示装置。
【請求項１４】
上記印加階調値取得手段は、さらに、上記のｎ＋１の数の頂点に加え、該ｎ＋１の頂点を各々接続した辺に位置する中間点を用いて補間演算を行うことを特徴とする請求項１３に記載の液晶表示装置。
【請求項１５】
複数のメモリブロックを含む少なくとも一つのルックアップテーブルを備え、各メモリブロックは複数の階調電圧値を格納するようになっており、各階調電圧値は、液晶ディスプレイに印加されて該液晶ディスプレイを前階調から後階調に変化させるようになっており、上記各階調電圧値は、局所座標空間において一対の前階調値と後階調値に対応し、
更に、上記液晶ディスプレイに印加されて上記液晶ディスプレイを現在表示されている前階調から所望の後階調に変化させるように階調電圧値を補間する印加階調値取得手段を備え、上記局所座標系において、現在表示されている前階調値及び所望の後階調値に近い階調電圧値を含む少なくとも一つのルックアップテーブルにおけるメモリブロックを用いて補間により印加階調値が決定される液晶表示装置。
【請求項１６】
上記複数のメモリブロックは、更に、上記階調電圧値を補間するのに使用し得る変数を格納するようになっていることを特徴とする請求項１５に記載の液晶表示装置。
【請求項１７】
上記印加階調値取得手段は、１次式を使用して上記階調電圧値を補間するようになっていることを特徴とする請求項１５又は１６に記載の液晶表示装置。
【請求項１８】
上記印加階調値取得手段は、２次式を使用して上記階調電圧値を補間するようになっていることを特徴とする請求項１５又は１６に記載の液晶表示装置。
【請求項１９】
少なくとも一つの付加的条件用ルックアップテーブルを更に備え、各付加的条件用ルックアップテーブルは付加的条件に対応する複数のブロックを備えていることを特徴とする請求項１５又は１６に記載の液晶表示装置。
【請求項２０】
上記印加階調値取得手段は、少なくとも二つのルックアップテーブルのメモリブロックを用いて階調電圧値を補間するようになっていることを特徴とする請求項１９に記載の液晶表示装置。
【発明の詳細な説明】
【０００１】
【発明の属する技術分野】
本発明は、広く液晶表示装置に係り、好ましくは、テレビやＯＡ（Ｏｆｆｉｃｅ　Ａｕｔｏｍａｔｉｏｎ）装置に用いられたり、ＣＡＤ（Ｃｏｍｐｕｔｅｒ−Ａｉｄｅｄ　Ｄｅｓｉｇｎ）システム用モニターとして用いられたりする液晶表示装置に関するものである。
【０００２】
【従来の技術】
液晶表示装置は、省スペース・省電力の特徴に加え、近年、視野角・コントラスト・色再現性・応答速度等の性能が向上してきたため、今やブラウン管を凌駕する画像表示装置となりつつある。そのため、テレビやＯＡ用のモニター（コンピューターのモニター）等への液晶表示装置の適用は、今後も拡大の一途を辿ると予測される。
【０００３】
通常、液晶セルに電圧が印加されると、液晶セル内の液晶材料（液晶分子）はその誘電異方性により長軸方向（ダイレクター）が変化される。液晶材料は光学異方性を有するため、その方向が変化されると液晶セルを透過する光の偏光方向も変化する。そして、液晶セルに設けられた偏光板などの作用を伴って、液晶セルに印加された印加電圧（印加電圧）によって該液晶セルを透過する光の光量が制御される。これにより、各画素の輝度を表示させたい階調輝度にすることができ、画像表示を行うことができる。
【０００４】
しかし、液晶材料が印加電圧の変化に応答するためにはある程度の時間が必要となる（液晶材料の応答速度が遅い）。例えば、現在広く用いられている液晶表示方式（液晶表示モード）におけるＴＮ（Ｔｗｉｓｔｅｄ　Ｎｅｍａｔｉｃ）、ＩＰＳ（Ｉｎ−Ｐｌａｎｅ−Ｓｗｉｔｃｈｉｎｇ）、またはＶＡ（Ｖｅｒｔｉｃａｌｌｙ　Ａｌｉｇｎｅｄ）等の場合、液晶材料の応答速度は、遅い階調間で３０ｍｓｅｃ〜５０ｍｓｅｃとなる。そのため、ＮＴＳＣ（Ｎａｔｉｏｎａｌ　Ｔｅｌｅｖｉｓｉｏｎ　Ｓｙｓｔｅｍ　Ｃｏｍｍｉｔｔｅｅ）信号の６０Ｈｚ（約１６．６ｍｓｅｃ）、あるいはＰＡＬ（Ｐｈａｓｅ　Ａｌｔｅｒａｔｉｏｎ　ｂｙ　Ｌｉｎｅ）信号の５０Ｈｚ（２０．０ｍｓｅｃ）に対応する応答速度を実現できない。したがって、さらなる市場拡大の要求に答えるためには、さらに高い性能が必要とされている。
【０００５】
そこで、従来、液晶材料や表示の駆動方法に工夫を施して、応答速度を早くした液晶表示装置が開発されている。
【０００６】
例えば、日本国の公開特許公報である特開平１０−３９８３７号公報（特許文献１）には、階調変化の際に対応する電圧差より、大きな電圧を印加することで、液晶材料を急峻に目標階調へと動かす“オーバーシュート駆動”を用いた液晶表示装置が開示されている。オーバーシュート駆動では、開始階調（現在の階調）と目標階調（所望の階調）とに対応つけて液晶材料に印加すべき印加階調値（或いは該印加諧調を実現する印加電圧値）を定めたルックアップテーブル（ＬＵＴ）を予め用意しておき、これに基づき電圧印加を行うようになっている。
【０００７】
【特許文献１】
特開平１０−３９８３７号公報（公開日：平成１０年２月１３日）
【０００８】
【発明が解決しようとする課題】
ところが、上記公報に記載の構成では、階調変化の全パターンに対応する印加電圧値（全ての階調の印加電圧値）を予め求めることによってＬＵＴを作成することが望ましいので、該ＬＵＴを記憶するメモリの容量が著しく大きくなってしまうという問題を招来する。
【０００９】
また、上記公報の構成では、液晶表示装置の温度等の付加的条件によっては、適切なオーバーシュート駆動を実施できず、自然な高速表示を行えないといった問題も併せて招来する。
【００１０】
つまり、液晶表示装置の応答速度は、液晶表示装置の温度変化にて液晶材料の粘度に変化が生じると顕著に変化するため、室温で印加階調値を設定したＬＵＴを用いた場合、低温時において、液晶材料の応答スピード低下のためにオーバーシュート駆動が充分効かなくなってしまい、応答速度が充分速くならず、書き込みが間に合わなくなる。また、逆に高温時はオーバーシュート駆動が効き過ぎてしまい、白および黒が過度に強調された表示となり、液晶表示装置の表示特性を損なうこととなる。
【００１１】
この問題の対策として、予め温度毎に複数のＬＵＴを用意しておき、温度センサー等を用いて、使用するＬＵＴを液晶表示装置の温度に合った最適なＬＵＴに自動的に切り替えるという方式が考えられる。しかしながら、ＬＵＴを記憶するメモリの容量等から考えて、全ての階調およびおよび全ての温度においてＬＵＴを用意するのは現実的には困難である。
【００１２】
しかも、ここでは温度についてのみ説明したが、液晶表示装置の応答速度を変化させる要因となるものでは、温度以外に、たとえば、表示パネルのセル厚や映像周波数等など種々あり、これら様々な付加的条件に対して、全てＬＵＴを備えることは、たとえ階調を有限個としても、非常に困難である。
【００１３】
本発明は、上記のような従来の問題を解決するためになされたものであり、その目的は、補間演算を用いることで、ＬＵＴを格納するためのメモリの容量を削減することにある。また、温度等の付加的条件に鑑みた適切なオーバーシュート駆動を実施して、自然な高速表示が行える液晶表示装置を提供することも本発明の目的である。
【００１４】
【課題を解決するための手段】
本発明の液晶表示装置は、上記課題を解決するために、それぞれ、複数の前階調値及び後階調値と、液晶ディスプレイに印加される対応階調電圧値とを格納する少なくとも一つのルックアップテーブルと、少なくとも一つの上記ルックアップテーブルを参照し、前階調から後階調に液晶ディスプレイを変えるために上記液晶ディスプレイに印加される階調電圧値を決定する印加階調値取得手段とを備え、対応印加階調値は、それに係る前階調値及び後階調値が格納された、少なくとも一つの上記ルックアップテーブルから読み出されると共に、印加階調値は、前階調軸及び後階調軸を含む局所座標系、並びにこの局所座標系内で格納済の前階調値及び後階調値に対応する複数の印加階調値を使用して行う補間により決定される構成を有している。
【００１５】
上記の発明によれば、少なくとも一つのルックアップテーブルが設けられ、各ルックアップテーブルには、複数の前階調値及び後階調値と、液晶ディスプレイに印加される対応階調電圧値（上記前階調値及び後階調値に対応する階調電圧値）とが格納されている。印加階調値取得手段によって、階調電圧値が決定されて液晶ディスプレイに印加されると、前階調（現在表示されている階調）から後階調（所望の目標階調）にディスプレイが変わる。
【００１６】
対応印加階調値に基づいてディスプレイを変える場合には、上記の前階調値及び後階調値が格納された、少なくとも一つの上記ルックアップテーブルから当該対応印加階調値が読み出される。
【００１７】
対応印加階調値がルックアップテーブルに格納されていない場合には、印加階調値取得手段は、少なくとも一つの上記ルックアップテーブルを参照し、上記階調電圧値を決定する。この際、印加階調値は、前階調軸及び後階調軸を含む局所座標系、並びにこの局所座標系内で格納済の前階調値及び後階調値に対応する複数の印加階調値を使用して行う補間により決定される。
【００１８】
このように、所望の印加階調値を格納済の印加階調値に基づいて補間により求めるので、ルックアップテーブル（ＬＵＴ）を記憶するためのメモリ等の容量を小さく抑え得る。つまり、前階調と後階調とは全階調ではなく、階調間を間引いてＬＵＴを作成できる。
【００１９】
したがって、本発明の液晶表示装置は、例えば、従来のような局所座標を用いない場合に比べて、メモリ等の容量を増加させることなく、高精度の印加階調値を算出できる。その結果、補間演算を用いることで、ＬＵＴを格納するためのメモリの容量を極力削減しながら、しかも、適切なオーバーシュート駆動を実施して、自然な高速表示を行える。
【００２０】
上記液晶表示装置において、少なくとも一つの上記ルックアップテーブルは、上記液晶の応答特性を変化させる付加的条件に応じて設けられた少なくとも一つの付加的条件用ルックアップテーブルを含み、前階調から後階調に上記ディスプレイを変える上記印加階調値は上記付加的条件に応じて変化し、上記印加階調値取得手段は、少なくとも一つの上記付加的条件用ルックアップテーブルを使用して上記補間演算を行うことが好ましい。
【００２１】
この場合、液晶の応答特性を変化させる付加的条件に応じてＬＵＴが少なくとも一つ用意されており、付加的条件をも加味した印加階調値を取得できる。この場合も、ＬＵＴを記憶するためのメモリ等の容量を小さく抑え得るように、全ての付加的条件ではなく、付加的条件間を間引いてＬＵＴの数を抑えている。
【００２２】
したがって、従来のような局所座標を用いない上に、温度等の付加的条件を考慮しない補間値に比べて、メモリ等の容量を増加させることなく、付加的条件を考慮しながら高精度の印加階調値を算出できる。その結果、補間演算を用いることで、ＬＵＴを格納するためのメモリの容量を極力削減しながら、かつ、温度等の付加的条件に左右されることなく、適切なオーバーシュート駆動を実施して、自然な高速表示を行える。
【００２３】
上記印加階調値取得手段は、局所座標系を用いて補間演算を行うにあたり、表示されるべき前階調値及び後階調値に近い、格納済の前階調値および後階調値の４つの組み合わせを選択し、そのうちの１つの組み合わせを上記局所座標系の原点として使用し、該原点と他の組み合わせとの差分を局所変数として使用することが好ましい。
【００２４】
上記の構成によれば、局所座標系を設定するとき、まず、補間演算にて表示されるべき前階調と後階調との組み合わせに近い４つの組み合わせ、例えば、既にＬＵＴに格納されている前階調と後階調の組み合わせのうち、目標組み合わせ階調に近い組み合わせを、前階調と後階調とで定義される空間軸に表示する。そして、上記の４つの組み合わせのうち、１つの組み合わせを原点とした局所座標系を設定する。
【００２５】
上記印加階調値取得手段は、上記前階調と上記後階調と上記付加的条件とで定義される軸を有する（軸に付随する）局所座標系を用いて補間演算を行うことが好ましい。また、上記付加的条件として温度が挙げられる。
【００２６】
また、上記印加階調値取得手段は、上記局所座標系を用いて補間演算を行うにあたり、上記付加的条件に近い２つのルックアップテーブルを用い、表示されるべき前階調値及び後階調値に近い、格納済の前階調値および後階調値の４つの組み合わせを選択し、これら８つの組み合わせのうちの１つをこれら８つの組み合わせを有する上記局所座標系の原点とし、該原点と他の組み合わせとの差分を局所変数として用いることが好ましい。
【００２７】
上記の構成によれば、局所座標系を設定するとき、まず、付加的条件に近い２つのＬＵＴを選択し、各ＬＵＴにおいて、補間演算にて取得しようとする前階調と後階調との組み合わせ（目標組み合わせ階調）に近い４つの組み合わせを選択する。したがって、２つのＬＵＴを用いるので、８つの組み合わせを選択する。そして、上記の８つの組み合わせのうち、１つの組み合わせを原点とした局所座標系を設定する。
【００２８】
かかる局所座標系では、例えば、前階調・後階調・付加的条件の値をそのまま用いて定義する局所座標系に比べて、目標組み合わせ階調の属する局所座標系を正しく特定することができるので、取得する印加階調値（補間値）の補間精度が向上することになる。
【００２９】
上記印加階調値取得手段は、上記局所座標系を用いて補間演算を行うにあたり、表示されるべき前階調値及び後階調値に近い、格納済の前階調値および後階調値の４つの組み合わせを選択し、そのうちの１つの組み合わせを上記局所座標系の原点として使用し、該原点と他の組み合わせとの差分を局所変数として使用することが好ましい。
【００３０】
上記の構成によれば、局所座標系を設定するとき、まず、補間演算にて取得しようとする前階調と後階調との組み合わせ（目標組み合わせ階調）に近い４つの組み合わせ、すなわち、既にＬＵＴに格納されている前階調と後階調の組み合わせのうち、表示されるべき目標組み合わせ階調に近い組み合わせを、前階調と後階調とで定義される空間軸に表示する。そして、上記の４つの組み合わせのうち、１つの組み合わせを原点とした局所座標系を設定する。
【００３１】
かかる局所座標系では、例えば、前階調・後階調の値をそのまま用いて定義する局所座標系に比べて、目標組み合わせ階調の属する局所座標を正しく特定することができるので、取得する印加階調値（補間値）の補間精度が向上することになる。
【００３２】
上記液晶表示装置において、局所座標系で表される空間は、格納済の印加階調値の組み合わせを頂点とするｎ＋１の数の頂点からなる領域に分割され、局所座標系の座標軸の数は、ｎ（ｎは２以上の整数）に等しく、上記印加階調値取得手段は、どのような分割領域においても上記補間を行うことが好ましい。
【００３３】
上記の構成によれば、例えば、後階調・前階調・付加的条件を軸とする座標（３次元の座標）に付随する局所座標であれば、４つの点で印加階調値に対応する局所座標上の点（目標点）を囲えることになる。そして、この局所座標の３本（ｎ＝３）の座標軸で表現される目標点を、補間演算に用いる補間式で最も簡単に表現しようとすると、４つの未知数が必要となる。そのため、４つ（ｎ＋１＝３＋１）の格子点が必要となる。すなわち、目標点を例えば１次式で表現して補間演算を行おうとすると、４つの格子点があればよいことになる。したがって、上記構成によると、１次式を用いた補間式で補間演算できることになり、補間演算の計算に要する労力を低減できる（例えば、メモリの容量等の削減）。
【００３４】
上記印加階調値取得手段は、さらに、上記のｎ＋１の数の頂点に加え、該ｎ＋１の頂点を各々接続した辺に位置する中間点を用いて補間演算を行うことが好ましい。
【００３５】
上記の構成によれば、補間式に用いることのできる点が増加することになる。したがって、例えば、２次式等の多項式を用いた補間演算を行うことができる。そのため、１次式に比べて、補間精度を向上させることができる。
【００３６】
本発明の他の液晶表示装置は、それぞれ、複数の前階調値及び後階調値と、液晶ディスプレイに印加される対応階調電圧値とを格納する少なくとも一つのルックアップテーブルと、印加階調値が少なくとも一つの上記ルックアップテーブルに格納されていない場合、少なくとも一つの上記ルックアップテーブルを参照し、前階調から後階調に上記液晶ディスプレイを変えるために上記液晶ディスプレイに印加される階調電圧値を決定する印加階調値取得手段とを備えている。
【００３７】
上記の発明によれば、少なくとも一つのルックアップテーブルが設けられ、各ルックアップテーブルには、複数の前階調値及び後階調値と、液晶ディスプレイに印加される対応階調電圧値とが格納されている。印加階調値取得手段によって、階調電圧値が決定されて液晶ディスプレイに印加されると、前階調（現在表示されている階調）から後階調（所望の目標階調）にディスプレイが変わる。
【００３８】
印加階調値取得手段は、印加階調値が少なくとも一つの上記ルックアップテーブルに格納されている場合には、それが読み出される。一方、格納されていない場合、印加階調値取得手段は、少なくとも一つの上記ルックアップテーブルを参照し、前階調から後階調に上記液晶ディスプレイを変えるために上記液晶ディスプレイに印加される階調電圧値を補間により決定する。
【００３９】
このように、所望の印加階調値を格納済の印加階調値に基づいて補間により求めるので、ルックアップテーブル（ＬＵＴ）を記憶するためのメモリ等の容量を小さく抑え得る。つまり、前階調と後階調とは全階調ではなく、階調間を間引いてＬＵＴを作成できる。
【００４０】
したがって、本発明の液晶表示装置は、例えば、従来のような局所座標を用いない場合に比べて、メモリ等の容量を増加させることなく、高精度の印加階調値を算出できる。その結果、補間演算を用いることで、ＬＵＴを格納するためのメモリの容量を極力削減しながら、しかも、適切なオーバーシュート駆動を実施して、自然な高速表示を行える。
【００４１】
上記印加階調値取得手段は、上記前階調及び後階調を軸とする局所座標を用いて補間演算することが好ましい。
【００４２】
上記の液晶表示装置において、少なくとも一つの上記ルックアップテーブルは、上記液晶の応答特性を変化させる少なくとも一つの付加的条件に応じて用意されると共に、少なくとも一つの該付加的条件間を間引いて用意され、上記印加階調値取得手段は、該当する付加的条件に合ったルックアップテーブルがない場合に、少なくとも一つの上記ルックアップテーブルに格納された印加階調値を用いて補間演算した値を上記印加階調値として決定することが好ましい。
【００４３】
この場合、液晶の応答特性を変化させる付加的条件に応じてＬＵＴが少なくとも一つ用意されており、付加的条件をも加味した印加階調値を取得できる。この場合も、ＬＵＴを記憶するためのメモリ等の容量を小さく抑え得るように、全ての付加的条件ではなく、付加的条件間を間引いてＬＵＴの数を抑えている。
【００４４】
したがって、従来のような局所座標を用いない上に、温度等の付加的条件を考慮しない補間値に比べて、メモリ等の容量を増加させることなく、付加的条件を考慮しながら高精度の印加階調値を算出できる。その結果、補間演算を用いることで、ＬＵＴを格納するためのメモリの容量を極力削減しながら、かつ、温度等の付加的条件に左右されることなく、適切なオーバーシュート駆動を実施して、自然な高速表示を行える。
【００４５】
上記の構成によれば、例えば、後階調・前階調・付加的条件を軸とする座標（３次元の座標）に付随する局所座標系であれば、４つの点で印加階調値に対応する局所座標上の点（目標点）を囲えることになる。そして、この局所座標の３本（ｎ＝３）の座標軸で表現される目標点を、補間演算に用いる補間式で最も簡単に表現しようとすると、４つの未知数が必要となる。そのため、４つ（ｎ＋１＝３＋１）の格子点が必要となる。すなわち、目標点を例えば１次式で表現して補間演算を行おうとすると、４つの格子点があればよいことになる。したがって、上記構成によれば、１次式を用いた補間式で補間演算できることになり、補間演算の計算に要する労力を低減できる（例えば、メモリの容量等の削減）。
【００４６】
上記印加階調値取得手段は、さらに、上記のｎ＋１の数の頂点に加え、該ｎ＋１の頂点を各々接続した辺に位置する中間点を用いて補間演算を行うことが好ましい。
【００４７】
上記の構成によれば、補間式に用いることのできる点が増加することになる。したがって、例えば、２次式等の多項式を用いた補間演算を行うことができる。その結果、１次式に比べて、補間精度を向上させることができる。
【００４８】
本発明の更に他の液晶表示装置は、上記課題を解決するために、複数のメモリブロックを含む少なくとも一つのルックアップテーブルを備え、各メモリブロックは複数の階調電圧値を格納するようになっており、各階調電圧値は、液晶ディスプレイに印加されて該液晶ディスプレイを前階調から後階調に変化させるようになっており、上記各階調電圧値は、局所座標空間において一対の前階調値と後階調値に対応し、更に、上記液晶ディスプレイに印加されて上記液晶ディスプレイを現在表示されている前階調から所望の後階調に変化させるように階調電圧値を補間する印加階調値取得手段を備え、上記局所座標系において、現在表示されている前階調値及び所望の後階調値に近い階調電圧値を含む少なくとも一つのルックアップテーブルにおけるメモリブロックを用いて補間により印加階調値が決定される構成を有している。
【００４９】
上記の発明によれば、少なくとも一つのルックアップテーブルが設けられ、各ルックアップテーブルには、複数のメモリブロックが含まれる。各メモリブロックには、複数の階調電圧値が格納されている。各階調電圧値が液晶ディスプレイに印加されると、前階調（現在表示されている階調）から後階調（所望の目標階調）にディスプレイが変わる。各階調電圧値は、局所座標空間において一対の前階調値と後階調値に対応している。
【００５０】
印加階調値取得手段は、上記液晶ディスプレイに印加されて上記液晶ディスプレイを現在表示されている前階調から所望の後階調に変化させるように階調電圧値を補間する。この補間は、上記局所座標系において、現在表示されている前階調値及び所望の後階調値に近い階調電圧値を含む少なくとも一つのルックアップテーブルにおけるメモリブロックを用いて行われ、印加階調値が決定される。
【００５１】
このように、メモリブロックに格納済の階調電圧値に基づいて補間により所望の印加階調値（メモリブロックに格納されていない印加階調値）を求めることができるので、ルックアップテーブル（ＬＵＴ）を記憶するためのメモリ等の容量を小さく抑えることが可能となる。つまり、前階調と後階調とは全階調ではなく、階調間を間引いてＬＵＴを作成できる。また、上記補間により、メモリに格納されていない前階調値及び後階調値に係る正確な印加階調値を迅速に且つ容易に求めることが可能となる
したがって、本発明の液晶表示装置は、例えば、従来のような局所座標を用いない場合に比べて、メモリ等の容量を増加させることなく、高精度の印加階調値を迅速且つ容易に算出できる。その結果、補間演算を用いることで、ＬＵＴを格納するためのメモリの容量を極力削減しながら、しかも、適切なオーバーシュート駆動を実施して、自然な高速表示を行える。
【００５２】
上記複数のメモリブロックは、更に、上記階調電圧値を補間するのに使用し得る変数を格納することが好ましい。上記印加階調値取得手段は、１次式又は２次式を使用して上記階調電圧値を補間するようになっていることが好ましい。
【００５３】
少なくとも一つの付加的条件用ルックアップテーブルを更に備え、各付加的条件用ルックアップテーブルは付加的条件に対応する複数のブロックを備えていることが好ましい。
【００５４】
この場合、液晶の応答特性を変化させる付加的条件に応じてＬＵＴが少なくとも一つ用意されており、付加的条件をも加味した印加階調値を取得できる。この場合も、ＬＵＴを記憶するためのメモリ等の容量を小さく抑え得るように、全ての付加的条件ではなく、付加的条件間を間引いてＬＵＴの数を抑えている。
【００５５】
したがって、従来のような局所座標を用いない上に、温度等の付加的条件を考慮しない補間値に比べて、メモリ等の容量を増加させることなく、付加的条件を考慮しながら高精度の印加階調値を算出できる。その結果、補間演算を用いることで、ＬＵＴを格納するためのメモリの容量を極力削減しながら、かつ、温度等の付加的条件に左右されることなく、適切なオーバーシュート駆動を実施して、自然な高速表示を行える。
【００５６】
上記印加階調値取得手段は、少なくとも二つのルックアップテーブルのメモリブロックを用いて階調電圧値を補間するようになっていることが好ましい。
【００５７】
【発明の実施の形態】
［実施の形態１］
本発明の実施の一形態について図１〜図４に基づいて説明すれば、以下の通りである。なお、本発明はこれに限定されるものではない。
【００５８】
図２は、本実施形態に係る液晶表示装置（ＬＣＤ１０）の構成を示すブロック図である。
【００５９】
ＬＣＤ１０は、液晶パネル３、コモン回路４、階調回路５、デジタル／アナログコンバーター（ＤＡＣ）６、ＬＣＤコントローラー１、フレームメモリ（ＦＭ）２、ビデオプロセッシングコントローラー（Ｖｉｄｅｏ　Ｐｒｏｃｅｓｓｉｎｇ　Ｃｏｎｔｒｏｌｌｅｒ；ＶＰＣ）７、温度センサー８、コンピューター９、を含む構成である。
【００６０】
液晶パネル３では、画素が形成された基板（画面）を含んでおり、例えば、その画面の縦方向に互いに平行に配置された複数のソースバスライン６１と、画面横方向に互いに平行に配置された複数の走査ライン６２とを有している。
【００６１】
なお、ソースバスライン６１と走査ライン６２とは交差しており、その交点に対応して画素６３が形成されている。そして、この画素６３には、ＴＦＴ６４、液晶セル６５、および負荷容量６６が配置されている。また液晶セル６５には、ＴＦＴ６４のドレインと、全画素間で共通の図示しないコモン電極（共通電極）とに接続されている。
【００６２】
コモン回路４は、コモン電極で使用するコモン電圧を生成する回路である。
階調回路５は、ＬＣＤコントローラー１から送られてくる階調データ（印加階調値）から印加電圧（印加電圧）を設定するものである。また、階調回路５は、液晶パネル３の外側に設けられており、ソースドライバー６７およびゲートドライバー６８を含む構成である。そして、上記のソースバスライン６１はソースドライバー６７に接続されており、走査ライン６２はゲートドライバー６８に接続されている。
【００６３】
ＤＡＣ６は、階調回路５で基準電圧を生成するための回路である。ＬＣＤコントローラー１は、図１に示すように、ＦＰＧＡ（Ｆｉｅｌｄ−Ｐｒｏｇｒａｍｍａｂｌｅ　Ｇａｔｅ　Ａｒｒａｙ）またはＧＡ等の補間演算素子１１を含むものであり、上記のソースドライバー６７およびゲートドライバー６８を制御するコントローラーである。なお、補間演算素子１１についての詳細は後述する。
【００６４】
図２に示すように、ＬＣＤコントローラー１は、ソースバスライン６１を介して各画素に書き込むべき印加電圧を指定するための階調データ（画像データ）をソースドライバー６７に対して送る。また、ゲートドライバー６８に対して、走査タイミングを指示する信号を与えるとともに、ソースドライバー６７に対して上記走査タイミングと同期して印加電圧を切り替えて出力するための信号を送る。さらに、コモン電極の駆動信号のタイミングも制御することができる。なお、ここでの階調データはＶＰＣ７によってデジタルデータに変換されている。
【００６５】
ＦＭ２は、１フレーム分の階調データを記憶することができるメモリである。したがって、例えば、ＦＭ２ではデータの入出力の同時処理を行うことができる。また、ＦＭ２を介することにより、簡単な構成で階調データを１フレーム分遅らせて出力することができる。ＶＰＣ７は、上述のように、階調データをデジタルデータに変換するものである。
【００６６】
温度センサー８は、液晶表示装置（液晶表示装置の設置場所）の温度を測定するものである（モニターするものである）。勿論、他の付加的条件が含められる場合、他の付加的条件を決定するために、当業者に知られた追加の若しくは代わりのセンサー（図示しない）を使用及び／又は代用することが可能である。上記他の付加的条件は、セルギャップ、セル厚、及び／又は映像周波数を含むが、これらに限定されるものではない。コンピューター９は、温度センサー８からの温度データ（測定データ）や、液晶パネルのセル厚、映像周波数（フレーム周波数）等に対応するデータを上記補間演算素子１１（後述する印加階調値取得部１３）に送信するコンピューターである。
【００６７】
そして、上記構成のＬＣＤ１０では、液晶パネル３によって１枚の画像（フレーム）を表示するとき、ゲートドライバー６８で、各走査ライン６２に接続されたＴＦＴ６４を走査ライン１８ごとに順次ＯＮさせつつ、ソースドライバー６７で各走査ライン６２に対応した階調データ（印加階調値）に応じた印加電圧を、各走査ライン６２に対応する画素に書き込んでいくようになっている。
【００６８】
本実施の形態の液晶表示装置は、温度等の付加的条件を考慮した補間演算を行い、高精度の補間値（目標階調データ）を求めることができるものである。
【００６９】
この補間演算は、上記の補間演算素子１１にて行われる。そして、この補間演算素子１１は、図１に示すように、ルックアップテーブルメモリ（ＬＵＴメモリ）１２と印加階調値取得部（印加階調値取得手段）１３とを含む構成である。
ＬＵＴメモリ１２は、ルックアップテーブル（ＬＵＴ）を記憶するものである。
【００７０】
このＬＵＴは、１フレーム前の階調の階調データ（前階調の値）と、現フレームの階調の階調データ（後階調の値）との二値を引数とし、液晶材料（液晶層）に印加すべき印加電圧に対応した階調データ（印加階調値）を格納しているものである。
【００７１】
具体的には、図３（ａ）（ｂ）に示すように、局所座標空間において、前階調の値（前階調値）が縦軸に、後階調の値（後階調値）が横軸に示されている。そして、上記の前階調値・後階調値は、有限個の階調間で設定されており、図３（ａ）（ｂ）では、３２階調毎に設定されている。なお、本発明は、３２階調毎に設定する場合に限定されるものではなく、他のいかなる数の階調毎に設定されていてもよい。また、前階調値と後階調値の設定は、必ずしも同じである必要はない。更に、上記設定は、たとえば、一つのＬＵＴ内で３２階調毎から６４階調毎まで、或いは３２階調毎から１２８階調毎まで（６４階調毎を間に含む）というように変化し得るので、等しい数の階調毎でなくてもよい。加えて、説明の便宜上、階調値（前階調値・後階調値）、および階調データ（印加階調値）の数値は括弧（「」）書きで示す。
【００７２】
本実施の形態に係る液晶表示装置の使用温度範囲が、例えば、４０℃〜０℃である場合、ＬＵＴメモリ１２には、図３（ａ）（ｂ）に示すように、その温度範囲で、２つのＬＵＴ、つまり、高温域（４０℃）用のＬＵＴであるテーブル１（図３（ａ））、低温域（０℃）用のＬＵＴであるテーブル２（図３（ｂ））が持たされている。
【００７３】
印加階調値取得部１３は、ＦＭ２からの１フレーム前の階調値（前階調値）、ＶＰＣ７を経た階調値（後階調値）、およびコンピューター９を経た温度センサー８からの温度データ（測定データ）を用いるとともに、記憶されているＬＵＴを参照して、ＬＵＴに格納されていない階調データ（印加階調値）を算出（補間演算）するものである。
【００７４】
ここで、本実施の形態の液晶表示装置において、オーバーシュート駆動を用いて画像を表示させるときになされる補間演算、特に、記憶されていないＬＵＴの階調データを目標階調データとして算出することについて詳細に説明する。
【００７５】
この目標階調データ（補間演算にて求められる印加階調値）は以下の手順をふむことで求められる。なお、下記で手順を説明するにあたり、理解を容易にすべく、『２０℃において、前階調値「５５」を、後階調値「９０」にしようとするときに、必要な補間値を算出する』場合を典型例に挙げて説明する。
〔手順１〕
まず、１つのＬＵＴ（例えば、テーブル１）において、前階調値と後階調値との間で行う第１補間演算（補間演算）を行う。
【００７６】
テーブル１において、前階調値「５５」を、後階調値「９０」にしようとする場合、すなわち、１フレーム前の階調値「５５」を、現フレームの階調値「９０」にしようとするときに必要な値（階調データ；第１補間値Ｈ）を求めようとする場合、上記前階調値「５５」を含む前階調値「３２〜６４」、上記後階調値「９０」を含む後階調値「６４〜９６」に、図４に示すような座標を導入する。
【００７７】
そして、この座標において、後階調値「６４」・前階調値「３２」を原点Ｐ２１とし、この原点Ｐ２１から後階調値の軸と同方向の軸を後階調局所軸ξ、該原点Ｐ２１から前階調値の軸と同方向の軸を前階調局所軸ηとする局所座標系（マトリックスタイプ）を設定する。したがって、後階調局所軸ξおよび前階調局所軸ηからなる局所座標において、原点Ｐ２１の値（（ξ、η））は（０、０）となっている。
【００７８】
そして、前階調値「３２〜６４」および後階調値「６４〜９６」で囲まれる領域を局所座標（ξ、η）で表すと、点Ｐ２１（０、０）、点Ｐ２２（３２、０）、点Ｐ２３（３２、３２）、点Ｐ２４（０、３２）の４点で囲まれる領域（局所座標）となる。
【００７９】
ここで、第１補間値Ｈ（テーブル補間値）を算出するための補間式を定義する。例えば、（ξ、η）に関する１次式を補間式として定義すると、ａξ＋ｂη＋ｃ＝Ｈとなり、Ｈを求めるためにはａ・ｂ・ｃの３個の未知数を求めなくてはならない。そのため、この３個の未知数を求めるためには、少なくとも３個の点が必要となる。
【００８０】
そして、上述のように前階調値「５５」を後階調値「９０」にしようとする場合を図４上で表示すると、点Ｐ３１として表示される（点Ｐ３１（後階調値、前階調値）＝（９０、５５））。
【００８１】
この点Ｐ３１の第１補間値Ｈを補間演算にて求めるには、上述のように少なくとも３個の点を利用しなくてはならない。そこで、階調データが、既知の４点（点Ｐ２１〜点Ｐ２４）の領域において、点Ｐ３１を含んだ３点の領域を選択する。上記の点Ｐ３１の場合では、点Ｐ２１・点Ｐ２２・点Ｐ２３で囲まれる領域（領域Ａ）が該当する。
【００８２】
そして、上記の領域Ａにおいて、既知の点Ｐ２１〜２３の後階調値・前階調値と、これらの点に該当するテーブル１（ＬＵＴ）の階調データとを用いて、補間式（ａξ＋ｂη＋ｃ＝Ｈ）から、以下のような補間演算を行う。すなわち、既知の点を用いる場合、Ｈには、各点（ξ、η）の基となる（後階調値、前階調値）に対応した階調データをテーブル１から代入して補間演算を行う。
【００８３】
すると、
点Ｐ２１→０ａ＋０ｂ＋ｃ＝９２
点Ｐ２２→３２ａ＋０ｂ＋ｃ＝１１８
点Ｐ２３→３２ａ＋３２ｂ＋ｃ＝１０５
となり、これらの３式から、
ａ＝２６／３２、ｂ＝−１３／３２、ｃ＝９２となる。
【００８４】
その結果、点Ｐ３１（（ξ、η）＝（２６、２３））の第１補間値Ｈは、下記の式（補間式▲１▼）より１０３．８となる。
（２６／３２）×２６＋（−１３／３２）×２３＋９２≒１０３．８　　▲１▼
〔手順２〕
次に、上記の手順１と同様にして、テーブル２において、前階調値と後階調値との間で行う第２補間演算を行う。
【００８５】
つまり、テーブル２において、前階調値「５５」を、後階調値「９０」にしようとする場合に必要な値（第２補間値Ｉ（テーブル補間値））を求める。
【００８６】
すると、
点Ｐ２１→０ａ＋０ｂ＋ｃ＝１４２
点Ｐ２２→３２ａ＋０ｂ＋ｃ＝１９２
点Ｐ２３→３２ａ＋３２ｂ＋ｃ＝１２３
となり、これらの３式から、
ａ＝２５／１６、ｂ＝−６９／３２、ｃ＝１４２となる。
【００８７】
その結果、点Ｐ３１（（ξ、η）＝（２６、２３））の第２補間値Ｉは、下記の式（補間式▲２▼）より１３３．０となる。
（２５／１６）×２６＋（−６９／３２）×２３＋１４２≒１３３．０　　▲２▼
なお、上記の第２補間値Ｉを求めるときの局所座標は、後述する図５に示された点Ｐ４１〜４４の領域である。
【００８８】
〔手順３〕
次に、４０℃と０℃との中間温度である２０℃においては、上記の第１補間値Ｈと第２補間値Ｉとを用いて、例えば、線型補間等の第３補間演算を行うことにより算出される（第３補間値Ｊを算出できる）。
【００８９】
したがって、以下の式より、第３補間値Ｊ（目標階調データ）は１１８．４と求められる。
（１０３．８＋１３３．０）／２＝１１８．４〔（第１補間値Ｈ＋第２補間値）／２＝第３補間値Ｊ〕
つまり、『２０℃において、前階調値「５５」を後階調値「９０」にしようとする場合』には、手順１〜３を経ることによって、「１１８」または「１１９」の階調データに基づく印加電圧を印加すればよいことがわかる。
【００９０】
なお、手順３で用いる補間方法（第３補間演算）は、線形補間に限定するものではなく、例えば、２次式等の多項式を用いた補間など、局所座標を用いない種々の補間方法が利用できる。
【００９１】
以上のように、本実施の形態の液晶表示装置では、手順１・２において、局所座標を用いた補間演算を行うとともに、手順３で、例えば温度等の付加的条件を用いた補間演算を行うことで最終的な補間値、すなわち目標階調データ（上記の場合、第３補間値Ｊ）を求めている。
【００９２】
つまり、手順１・２のそれぞれで、別個のテーブル（テーブル１・２）を用いて後階調値・前階調値に基づいた第１・２補間演算を行い、さらに、それらの第１・２補間演算の結果（第１補間値Ｈ・第２補間値Ｉ）を用いて、付加的条件に対応する第３補間演算を行っている。
【００９３】
そのため、第３補間値Ｊは、温度等の付加的条件に対応した値になる。勿論、温度以外の他の付加的条件も使用できる。その上、第３補間値Ｊを求めるために用いた値（第１補間値Ｈ・第２補間値Ｉ）も、局所座標を用いて精度よく求められているため、該第３補間値Ｊは、高精度の補間値となっている。
【００９４】
つまり、本実施の形態の液晶表示装置は、温度等の複数の付加的条件のもとで、複数の階調間に対し有限個の出力階調を格納した複数のＬＵＴから、連続な出力階調を実現できる目標印加階調データを算出することができ、その目標印加階調データに基づいた表示を行うと、例えば、階調ムラ等を引き起こすことなく、入力される階調データをより忠実に再現した表示ができる。
【００９５】
また、従来のような局所座標を用いない上に、温度等の付加的条件を考慮しない補間値に比べて、目標印加階調データの精度が顕著に向上している。
【００９６】
また、上記目標印加階調データ（印加階調値）を、全ての階調および全ての付加的条件においてＬＵＴを用いることなく取得できるので、比較的にＬＵＴを記憶する、例えばメモリの容量を削減できる。
【００９７】
また、テーブル１とテーブル２との中間温度においては、例えば、テーブル１とテーブル２との間を線型補間することにより、中間温度に対し、有限個の階調間のＬＵＴを作るようにするため、３つのオーバーシュートテーブルを低温、中温、高温の領域で使い分けることが可能になるともいえる。また、手順３では２つのＬＵＴから２つの目標印加階調データを計算した後、付加的条件にしたがって、それぞれの値を計算したが、２つのＬＵＴから、付加的条件に対応するＬＵＴを線型補間によって求め、そのＬＵＴに対し、手順１にしたがって目標印加階調データを計算することもできる。
【００９８】
なお、上記の点Ｐ３１は、図４上において、領域Ａのみに含まれるようになっているが、例えば点Ｐ３２、すなわち、『前階調値「４８」を、後階調値「８０」にしようとするときに、必要な第１補間値Ｈ（階調データ）を算出する』場合では、領域Ａおよび領域Ｂの両方に含まれるようになる。
【００９９】
かかる場合、両方の領域に基づく補間式を用いて算出できることを以下に説明する。
【０１００】
なお、手順３では、補間演算を行うための付加的条件を一つだけ設定しているが、付加的条件は２つ以上あっても、基本的には同様な補間処理を行うことができる。
〔手順１’〕
上記の手順１同様、テーブル１における第１補間値Ｈを算出するための補間式を定義する。例えば、（ξ、η）に関する１次式を補間式として定義すると、点Ｐ３１を含んだ３点の領域を選択しなくてはならない。すると、上記の点Ｐ３２の場合では、点Ｐ２１・点Ｐ２２・点Ｐ２３で囲まれる領域（領域Ａ）と、点Ｐ２１・点Ｐ２３・点Ｐ２４で囲まれる領域（領域Ｂ）とが該当する。
【０１０１】
すると、領域Ａの場合、
点Ｐ２１→０ａ＋０ｂ＋ｃ＝９２
点Ｐ２２→３２ａ＋０ｂ＋ｃ＝１１８
点Ｐ２３→３２ａ＋３２ｂ＋ｃ＝１０５
となり、これらの３式から、
ａ＝２６／３２、ｂ＝−１３／３２、ｃ＝９２となる。
【０１０２】
その結果、点Ｐ３２（（ξ、η）＝（１６、１６））の第１補間値Ｈは、下記の式（補間式▲３▼）より９８．５となる。
（２６／３２）×１６＋（−１３／３２）×１６＋９２＝９８．５　　▲３▼
また、領域Ｂの場合、
点Ｐ２１→０ａ＋０ｂ＋ｃ＝９２
点Ｐ２３→３２ａ＋３２ｂ＋ｃ＝１０５
点Ｐ２４→０ａ＋３２ｂ＋ｃ＝６４
となり、これらの３式から、
ａ＝４１／３２、ｂ＝−２８／３２、ｃ＝９２となる。
その結果、点Ｐ３２（（ξ、η）＝（１６、１６））の第１補間値Ｈは、下記の式（補間式▲４▼）より９８．５となる。
（４１／３２）×１６＋（−２８／３２）×１６＋９２＝９８．５　　▲４▼
このように、４０℃において、前階調値「４８」を後階調値「８０」にしようとする場合、すなわち、点Ｐ３２のように領域Ａまたは領域Ｂのどちらでも該点Ｐ３２を囲める場合、どちらの領域の補間式（領域Ａの補間式▲３▼、または領域Ｂでの補間式▲４▼）を用いても、第１補間値Ｈを算出することができる。
【０１０３】
なぜならば、異なる補間式（補間式▲３▼および補間式▲４▼）から算出される第１補間値Ｈであっても、異なる領域（領域Ａおよび領域Ｂ）の境界線である点Ｐ２１―点Ｐ２３の線上（対角線上）で同一の値となるためである（接点を持つためである）。
【０１０４】
そのため、各領域間の第１補間値Ｈの連続性が維持されることになる（異なる領域の補間式を用いても、その領域の境界上の補間値が不連続にはならない）。
【０１０５】
つまり、異なる領域において用いる補間式、すなわち、２以上の補間式を用いて目標印加階調データを算出しても、領域の境界では、その目標階調データが同一の値となるので、補間式の選択の幅が広がることになる。
【０１０６】
なお、テーブル２において、上記手順１’を行ったとしても、該手順１’同様、各領域間の第２補間値Ｉの連続性が維持されることになる。
【０１０７】
実施の形態１では、各々のＬＵＴにおいて局所座標を設け、第１補間値Ｈ・第２補間値Ｉを算出した。しかしながら、本発明はこれに限定されるものではない。これについて、たとえば、以下の実施の形態２において説明する。
〔実施の形態２〕
本発明における他の実施の形態について説明すれば、以下の通りである。なお、実施の形態１で用いた部材と同様の機能を有する部材については、同一の符号を付記し、その説明を省略する。
【０１０８】
具体的には、テーブル１・２を同時に利用した局所座標を用いて補間演算を行う。この補間演算での局所座標をたとえば図５に示す。
【０１０９】
図５に示すように、この局所座標は、後階調値・前階調値・温度値の３軸からなる座標において、上記の後階調局所軸ξおよび前階調局所軸ηに対して垂直方向を示す付加軸ζを加えた３次元の局所座標となっている。
【０１１０】
なお、下記の説明にあたり、理解を容易にすべく、『３０℃において、前階調値「４８」を、後階調値「８０」にしようとするときに、必要な補間値Ｋ（階調データ）を算出する』場合を例に挙げて説明する。
【０１１１】
ここで、上記の『３０℃において、前階調値「４８」を、後階調値「８０」にしようとするときに、必要な補間値Ｋ（目標階調データ）を算出する』場合を図５上に示すと、点Ｐ３３のように示され、この点Ｐ３３は、テーブル１を示す点Ｐ２１〜点Ｐ２４およびテーブル２を示す点Ｐ４１〜点Ｐ４４に囲まれる６面体の内部に位置する。
【０１１２】
そして、上記の３次元の局所座標において、補間値Ｋを算出するための補間式を定義する。例えば、（ξ、η、ζ）に関する１次式を補間式として定義すると、ａξ＋ｂη＋ｃζ＋ｄ＝Ｋとなり、補間値Ｋを求めるためにはａ・ｂ・ｃ・ｄの４個の未知数を求めなくてはならない。そのため、この４個の未知数を求めるためには、少なくとも４個の点が必要となる。
【０１１３】
そこで、階調データが、既知の８点（点Ｐ２１〜点Ｐ２４および点Ｐ４１〜点Ｐ４４）の領域において、点Ｐ３３を含んだ４点の領域を選択する。上記の点Ｐ３３の場合では、点Ｐ２１・点Ｐ２３・点Ｐ２２・点Ｐ４３で囲まれる領域（第１領域）が該当する。
【０１１４】
そして、上記の既知の点Ｐ２１・点Ｐ２３・点Ｐ２２・点Ｐ４３の後階調値・前階調値と、これらの点に該当するテーブル１・２の階調データとを用いて、補間式（ａξ＋ｂη＋ｃζ＋ｄ＝Ｋ）から、補間演算を行う。なお、実施の形態１同様に、既知の点を用いる場合、Ｋには、各点（ξ、η、ζ）の基になる、各温度における（後階調値、前階調値）に対応した階調データをテーブル１・２から代入して補間演算を行う。
【０１１５】
各点を補間式に代入すると下記のようになる。
点Ｐ２１→０ａ＋０ｂ＋４０ｃ＋ｄ＝９２
点Ｐ２３→３２ａ＋３２ｂ＋４０ｃ＋ｄ＝１０５
点Ｐ２２→３２ａ＋０ｂ＋４０ｃ＋ｄ＝１１８
点Ｐ４３→３２ａ＋３２ｂ＋０ｃ＋ｄ＝１２３
となり、これらの４式から、
ａ＝１３／１６、ｂ＝−３／３２、ｃ＝−１／５、ｄ＝１００となる。
【０１１６】
その結果、点Ｐ３３（（ξ、η、ζ）＝（１６、１６、３０））の補間値Ｋは、下記の式より１０５．５となる。
（１３／１６）×１６＋（−３／３２）×１６＋（−１／５）×３０＋１００＝１０５．５
つまり、『３０℃において、前階調値「４８」を後階調値「８０」にしようとする場合』には、「１０５」または「１０６」の階調データ（電圧データ）を印加すればよいこととなる。
【０１１７】
以上のように、本実施の形態の液晶表示装置では、上記の手順によって、後階調局所軸ξ・前階調局所軸η・付加軸ζからなる３次元の局所座標を用いた補間演算により、最終的な補間値、すなわち目標階調データ（上記の場合、補間値Ｋ）を求めている。
【０１１８】
そのため、従来のような局所座標を用いない上に、温度等の付加的条件を考慮しない補間値に比べて、補間値Ｋは高精度の補間値となっている。また、局所座標を用いても付加的条件を考慮していない補間値に比べても、補間値Ｋは高精度の補間値となる。
【０１１９】
つまり、本実施の形態の液晶表示装置は、たとえば温度等の複数の付加的条件のうちの一つ又は２以上のもとで、複数の階調間に対し有限個の出力階調を格納した複数のＬＵＴから、連続な出力階調を実現できる目標印加階調データを算出することができ、その目標印加階調データに基づいた表示を行うと、例えば、階調ムラ等を引き起こすことなく、入力される階調データをより忠実に再現した表示ができる。
【０１２０】
なお、上記の点Ｐ３３は、図５上において、点Ｐ２１・点Ｐ２３・点Ｐ２２・点Ｐ４３で囲まれる領域のみに含まれるようになっているが、例えば、『２０℃において、前階調値「４８」を、後階調値「８０」にしようとするときに、補間値Ｋ（階調データ）を算出する』場合では、図５上では、点Ｐ３４のように示され、この点Ｐ３４は、テーブル１を示す点Ｐ２１〜点Ｐ２４およびテーブル２を示す点Ｐ４１〜点Ｐ４４に囲まれる６面体の中心に位置する。すなわち、下記の６個の領域に含まれるようになる。
第１領域→点Ｐ２１・点Ｐ２３・点Ｐ２２・点Ｐ４３で囲まれる領域
第２領域→点Ｐ２１・点Ｐ２２・点Ｐ４２・点Ｐ４３で囲まれる領域
第３領域→点Ｐ２１・点Ｐ４２・点Ｐ４１・点Ｐ４３で囲まれる領域
第４領域→点Ｐ２１・点Ｐ４１・点Ｐ４４・点Ｐ４３で囲まれる領域
第５領域→点Ｐ２１・点Ｐ４４・点Ｐ２４・点Ｐ４３で囲まれる領域
第６領域→点Ｐ２１・点Ｐ２４・点Ｐ２３・点Ｐ４３で囲まれる領域
かかる場合、６個の領域のうちの一つに基づく補間式を用いて、補間値Ｋを算出することができる。
【０１２１】
例えば、第１領域の場合は、上記した、ａ＝１３／１６、ｂ＝−３／３２、ｃ＝−１／５、ｄ＝１００を用いればよいので、点Ｐ３４（（ξ、η、ζ）＝（１６、１６、２０））の補間値Ｋは、下記の式より１０７．５となる。
（１３／１６）×１６＋（−３／３２）×１６＋（−１／５）×２０＋１００＝１０７．５。
【０１２２】
また、例えば、第３領域の場合、
点Ｐ２１→０ａ＋０ｂ＋４０ｃ＋ｄ＝９２
点Ｐ４２→３２ａ＋０ｂ＋０ｃ＋ｄ＝１９２
点Ｐ４１→０ａ＋０ｂ＋０ｃ＋ｄ＝１４２
点Ｐ４３→３２ａ＋３２ｂ＋０ｃ＋ｄ＝１２３
となり、これらの４式から、
ａ＝−５０／３２、ｂ＝３１／３２、ｃ＝−５／４、ｄ＝１４２となる。
【０１２３】
その結果、点Ｐ３４（（ξ、η、ζ）＝（１６、１６、２０））の補間値Ｋは、下記の式より１０７．５となる。
（−５０／３２）×１６＋（３１／３２）×１６＋（−５／４）×２０＋１４２＝１０７．５。
【０１２４】
そして、他の第２領域および第４〜６領域においても、上記第１・３領域と同様の方法で補間演算することができ、その補間値Ｋは１０７．５となる。
【０１２５】
以上のように、本実施の形態の液晶表示装置では、上記の点Ｐ３４のように、第１〜６領域のどの領域であっても該点Ｐ３４を囲める場合、その各領域の補間式を用いて、補間値Ｋを算出してもよい。
【０１２６】
なぜならば、上記の各第１〜６領域の補間式から求めた補間値Ｋは同一の値となるためである。これは、各領域の異なる補間式が、異なる領域（第１〜６領域）の境界線である点Ｐ２１―点Ｐ４３の線上（対角線上）で連続するためである（接点を持つためである）。その結果、各領域で求められた補間値Ｋは、その各領域の境界線上で同一の値となるので、各領域間の連続性が維持されることになる（異なる領域の補間式を用いても、その領域の境界上の補間値が不連続にはならない）。つまり、一空間を用いて目標階調データを算出しても、その目標階調データが同一の値となり、補間式の選択の幅が広がることになる。
【０１２７】
実施の形態１・２では、補間式に１次式を用いたが、本発明はこれに限定されるものではない。例えば、２次式等の多項式を用いても、補間値を算出することができる。この例について、以下の実施の形態３において説明する。
〔実施の形態３〕
本発明における他の実施の形態について説明すれば、以下の通りである。なお、実施の形態１・２で用いた部材と同様の機能を有する部材については、同一の符号を付記し、その説明を省略する。
【０１２８】
実施の形態１での手順１（第１補間演算）において、（ξ、η）に関する２次式を補間式として定義すると、補間式は、ａξ２＋ｂη２＋ｃξη＋ｄξ＋ｅη＋ｆ＝Ｈとなる。そして、第１補間値Ｈを求めるためにはａ・ｂ・ｃ・ｄ・ｅ・ｆの６個の未知数を求めなくてはならない。そのため、この６個の未知数を求めるためには、図６に示す局所座標において、少なくとも６個の点が必要となる。
【０１２９】
上記の場合、点Ｐ３１に対応する第１補間値Ｈを求めるには、実施の形態１の手順１同様に、既知の４点（点Ｐ２１〜点Ｐ２４）の領域において、点Ｐ３１を含んだ３点（点Ｐ２１・点Ｐ２２・点Ｐ２３で囲まれる領域（領域Ａ））の領域を選択する。そして、残りの必要な３点は、例えば、上記の既知の点から、例えば線形補間等により求めた中間点Ｐ５１〜５３を用いる。
【０１３０】
なお、この中間点は、線形補間によって求められるものに限定するものではなく、その他の補間演算で算出してもよい。また、補間精度の向上を図るなら実測から求めるのが好ましい。また、この中間点を求めるとは、後階調値、前階調値、階調データの３つの数値を把握することを意味する。したがって、例えば、点Ｐ２２と点Ｐ２３との間（例えば、上記両点（点Ｐ２２・２３）のちょうど中心）に位置する中間点Ｐ５１の（後階調値、前階調値、階調データ）を線形補間にて求めるとすると、（９６、４８、１１１．５）となる（（後階調局所軸ξ、前階調局所軸η、階調データ）＝（３２、１６、１１１．５））。
【０１３１】
そして、上記の点Ｐ２１〜２３および中間点Ｐ５１〜５３から、（ξ、η）およびＨに該当する数値を代入して、各点（点Ｐ２１〜２３および中間点Ｐ５１〜５３）に対応する式を作成する。
【０１３２】
例えば、点Ｐ２３（（ξ、η）＝（３２、３２））の場合、３２２ａ＋３２２ｂ＋（３２×３２ｃ）＋３２ｄ＋３２ｅ＋ｆ＝１０５となる。そして、このような対応式を各点毎に作成し、それらの式から、（ａ・ｂ・ｃ・ｄ・ｅ・ｆ）を求める。そして、点Ｐ３１（（ξ、η）＝（１６、１６））と、上記の（ａ・ｂ・ｃ・ｄ・ｅ・ｆ）とから、第１補間値Ｈを求めることができる。
【０１３３】
以上のように、補間式に多項式を用いれば、１次式から算出した第１補間値Ｈに比べて、さらに補間精度が高まる。また同様に、実施の形態１の手順２でも、補間式に多項式を用いれば、１次式から算出した第２補間値Ｉに比べて、さらに補間精度が高まる。したがって、これらの多項式を用いて求められた第１補間値Ｈ・第２補間値Ｉから求められる第３補間値Ｊも当然に一層精度のよい補間値となる。
【０１３４】
また、実施の形態２での補間演算において、（ξ、η、ζ）に関する２次式を補間式として定義すると、補間式は、ａξ２＋ｂη２＋ｃζ２＋ｄξη＋ｅηζ＋ｆζξ＋ｇξ＋ｈη＋ｉζ＋ｊ＝Ｋとなる。そして、補間値Ｋを求めるためにはａ・ｂ・ｃ・ｄ・ｅ・ｆ・ｇ・ｈ・ｉ・ｊの１０個の未知数を求めなくてはならない。そのため、この１０個の未知数を求めるためには、図７に示すように、局所座標において、少なくとも１０個の点が必要となる。なお、上記の補間式において、ξ・η・ζからなるξηζの項は必要ない。なぜならば、３次式になっているためである。
【０１３５】
上記の場合、点Ｐ３３に対応する補間値Ｋを求めるには、実施の形態２の手順同様に、既知の８点（点Ｐ２１〜点Ｐ２４および点Ｐ４１〜点Ｐ４４）の領域において、点Ｐ３３を含んだ４点の領域を選択する。そして、残りの必要な６点は、上記の中間点Ｐ５１〜５３と同様に、例えば、上記の既知の点から線形補間等により求めた中間点Ｐ５１〜５６を用いる。
【０１３６】
そして、上記の点Ｐ２１〜２３および中間点Ｐ５１〜５６から、（ξ、η、ζ）およびＫに該当する数値を代入して、各点（点Ｐ２１〜２３および中間点Ｐ５１〜５６）に対応する式を作成する。
【０１３７】
例えば、点Ｐ２３（（ξ、η、ζ）＝（３２、３２、４０））の場合、３２２ａ＋３２２ｂ＋４０２ｃ＋（３２×３２×ｄ）＋（３２×４０×ｅ）＋（４０×３２×ｆ）＋３２ｇ＋３２ｈ＋４０ｉ＋ｊ＝１０５となる。
【０１３８】
そして、このような対応式を各点毎に作成し、それらの式から、（ａ・ｂ・ｃ・ｄ・ｅ・ｆ・ｇ・ｈ・ｊ）を求める。そして、点Ｐ３３（（ξ、η、ζ）＝（１６、１６、３０））と、上記の（ａ・ｂ・ｃ・ｄ・ｅ・ｆ・ｇ・ｈ・ｉ・ｊ）とから、補間値Ｋを求めることができる。
【０１３９】
以上のように、補間式に多項式を用いれば、１次式から算出した補間値Ｋに比べて、さらに補間精度が高まる。
【０１４０】
なお、実施の形態１〜３においては、温度変化の状況に応じ、補間式を用いて目標階調データ（例えば、補間式Ｋ）を取得した。しかし、温度変化に限定するものではなく、例えば、セルの膜厚、映像周波数等に応じても、上記のように、テーブルを複数備えていて、これを局所座標を用いて使用することで、目標階調データを取得することができる。
【０１４１】
また、実施の形態１での点Ｐ３２を含む領域Ａ（補間式▲１▼を含む領域）と領域Ｂ（補間式▲２▼を含む領域）とは、点Ｐ２１−点Ｐ２３の対角線を対称軸として自由に折り返すことができる（図４・５・７参照）。このことは、対称軸上で、補間式が連続していることを意味するともいえる。また、実施の形態３での、点Ｐ３４を含む第１〜６領域に含まれる各々の補間式も、点Ｐ２１−点Ｐ４３の対角線を対称軸として自由に折り返すことができる（図５・８参照）。したがって、実施形態の１同様に、補間式が連続していることを意味するともいえる。
【０１４２】
また、実施の形態１〜３での領域（例えば、領域Ａ・Ｂや第１〜６領域）の数は、未定値の数と何ら関係がない。なぜならば、例えば、領域Ａ・Ｂを含む領域（全領域）は、既知である任意の３点で区切ることができるためである。つまり、点Ｐ２１〜点Ｐ２４以外の点であっても既知な点であれば、自由に全領域内の領域数が変化することになるためである。なお、上記の既知の点は、点Ｐ２１〜点Ｐ２４から例えば線形補間等で求めてもよい。
【０１４３】
また、用いられる補間式は、図４では２次元座標に対する直線、図５では３次元座標に対する平面、図６では２次元座標に対する楕円、図７では３次元座標に対する楕円体を表すものである。
【０１４４】
また、液晶パネルの液晶材料に電圧印加を行うユニットあるいはプログラムは、ディスプレイコントローラーの内部または外部に組み込まれているともいえる。
【０１４５】
また、本実施の形態の液晶表示装置は、印加電圧を変えることで階調表示を行っており、さらに、階調変化の際に対応する電圧差より大きな電圧を印加するオーバーシュート駆動を行っている。その上、該印加電圧を複数２以上の温度領域間で切り替える表示装置であってもよい。有限個階調間の出力階調の値、もしくは、温度など付加的な条件によって変わる出力階調に対し、局所座標を用いた補間を行ってもよい。なお、上記の温度以外に、たとえば、セル厚、映像周波数等の付加的条件に対しても同様の拡張も可能である。
【０１４６】
また、本実施の形態の液晶表示装置は、該液晶表示装置において、前階調と後階調に関して、局所座標を用いて表現される階調領域もしくは、温度などの付加的条件によって定義される空間座標に対し空間軸の数をｎとした場合、ｎ＋１の頂点を持つ領域に分割し、補間演算するものともいえる。
【０１４７】
これによると、液晶表示装置は、温度等の複数の付加的条件のもとで、複数の階調間に対し、有限個の出力階調を格納した複数のＬＵＴから、連続な出力階調を算出する演算方法を用いることになり、自然な高速表示を行う表示方法を提供することができることになる。
【０１４８】
また、本実施の形態の液晶表示装置は、以下のように表現することもできる。液晶表示装置は、印加電圧を変えることで階調表示を行う液晶表示装置であって、複数（２以上）の温度、セル厚、映像周波数等の付加的条件のもとで、前表示および後表示の階調に対し、出力階調が設定されており、出力階調の補間演算を行う際に、温度、セル厚、映像周波数等の付加的条件、前表示および後表示の階調で定義される空間軸に付随する、局所座標を用いた補間演算を行うことにより、補間の連続性を高め、演算誤差により発生する映像ノイズを低減することを特徴としている。
【０１４９】
このように、温度、セル厚、映像周波数等の付加的条件のもとで、出力階調を、付加的条件、前表示および後表示の階調で定義される空間で補間演算を用いて算出することにより、ハード的にはメモリ、ゲートなどリソースの低減、ソフト的には、補間の連続性を高めることにより、演算誤差により発生する映像ノイズを低減できる。
【０１５０】
また、液晶表示装置は、印加電圧を変えることで階調表示を行う液晶表示装置であって、複数（２以上）の温度、複数（２以上）のセル厚、及び／又は複数（２以上）の映像周波数等の付加的条件のもとで、前表示および後表示の階調に対し、出力階調が設定されており、出力階調の補間演算を行う際に、複数の付加的条件に対し、前表示および後表示の階調で定義される空間軸に付随する、局所座標を用いた補間演算を行うことにより、補間の連続性を高め、演算誤差により発生する映像ノイズを低減することを特徴としている。
【０１５１】
このように、温度、セル厚、映像周波数等の付加的条件のもとで、出力階調を、前表示および後表示の階調で定義される空間で補間演算を用いて算出することにより、ハード的には上記の液晶表示装置よりもさらに、メモリ、ゲートなどリソースの低減ができ、ソフト的には、補間の連続性を高めることにより、演算誤差により発生する映像ノイズを低減できる。
【０１５２】
また、液晶表示装置は、上記の局所座標を用いた補間演算において、補間軸の数ｎ（２以上）に対し、ｎ＋１の頂点を持つ局所領域に分割し、補間演算を行うことにより、出力階調の連続性を高め、演算誤差により発生する映像ノイズを低減することを特徴としている。
【０１５３】
これによると、局所座標を用いて、補間軸ｎ（２以上）の多次元の補間演算を行う際、１次式で補間が可能となることから、ハード的にはメモリ、ゲートなどリソースの低減、ソフト的には、補間の連続性を高めることにより、演算誤差により発生する映像ノイズを低減できる。
【０１５４】
また、液晶表示装置は、上記の局所座標を用いた補間演算において、補間軸の数ｎ（２以上）に対し、ｎ＋１の頂点を持つ局所領域に分割し、頂点と各辺の中間点の値を用いて補間演算を行うことにより、出力階調の連続性を高め、演算誤差により発生する映像ノイズを低減することを特徴としている。
【０１５５】
これによると、局所座標を用いて、補間軸ｎ（２以上）の多次元の補間演算を行う際、２次式で補間が可能となることから、ハード的にはメモリ、ゲートなどリソースの低減、ソフト的には、さらに補間の連続性を高めることになり、演算誤差により発生する映像ノイズを低減できる。
【０１５６】
また、本発明の液晶表示装置は、画素を有し、この画素に対して、フレーム毎に階調データ（印加階調値）に基づいた階調電圧（印加電圧）を印加することで階調表示を行う液晶表示装置において、表示すべきフレームの階調データとして順次入力される階調データを記憶し、その階調データを１フレーム分遅らせて、直前フレームの階調データとして出力する記憶部と、上記の表示すべきフレームの階調データと、直前フレームの階調データとによって特定される出力すべき階調データを示すＬＵＴを、付加的条件に応じて予め複数個記憶しているＬＵＴメモリと、上記付加的条件を測定する付加的条件測定部と、上記の表示すべきフレームの階調データと、上記の出力すべきフレームの階調データと、上記記憶部からの直前フレームの階調データと、上記付加的条件の測定データとを受信するとともに、上記の複数個のＬＵＴを参照しながら補間演算することで、階調表示に必要な階調データを目標階調データとして算出する印加階調値取得部とを含み、上記印加階調値取得部は、ＬＵＴ毎に、表示すべきフレームの階調データと直前フレームの階調データとを格子点とする座標系を設定するとともに、その座標系において上記目標階調データに対応する格子点を含有する局所座標系を設定し、この局所座標系を用いた補間演算を行うことで、該ＬＵＴに示されない階調データをテーブル補間値として算出し、さらに、ＬＵＴ毎の上記テーブル補間値を用いて、上記の測定データに応じた補間演算を行うことで、上記目標階調データを算出することを特徴としている。
【０１５７】
また、本発明の液晶表示装置は、画素を有し、この画素に対して、フレーム毎に階調データに基づいた階調電圧を印加することで階調表示を行う液晶表示装置において、表示すべきフレームの階調データとして順次入力される階調データを記憶し、その階調データを１フレーム分遅らせて、直前フレームの階調データとして出力する記憶部と、上記の表示すべきフレームの階調データと、直前フレームの階調データとによって特定される出力すべき階調データを示すＬＵＴを、付加的条件に応じて予め複数個記憶しているＬＵＴメモリと、上記付加的条件を測定する付加的条件測定部と、上記の表示すべきフレームの階調データと、上記記憶部からの直前フレームの階調データと、上記付加的条件の測定データとを受信するとともに、上記の複数個のＬＵＴを参照しながら補間演算することで、階調表示に必要な階調データを目標階調データとして算出する印加階調値取得部とを含み、上記印加階調値取得部は、上記の表示すべきフレームの階調データと直前フレームの階調データと測定データとを格子点とする座標系を設定するとともに、上記目標階調データに対応する点を含有する局所座標系を設定し、この局所座標系を用いた補間演算を行うことで、上記目標階調データを算出することを特徴としている。
【０１５８】
別の実施の形態として、局所座標で表される４個の前階調値と後階調値のグループ（複数）に対して、たとえば４個（４個に限定されない。）の印加階調値（液晶に印加される階調値）からなる種々のセット（組）が、複数のメモリブロック中に格納されていてもよい。更に、局所座標（ξ、η）の１次式ａξ＋ｂη＋ｃ＝Ｈの変数値ａ、ｂ、及びｃが決定され、これらの変数値が、格納済の４個の印加階調値と共に一つのメモリブロック中に格納されてもよい。格納済の４個の印加階調値のうち３個を「アップ」値（前階調値をそれより高い後階調値に増加させるために使用される。）として使用し、１次式中のａ、ｂ、及びｃの一つのセットを決定し、格納してもよいし、及び／又は格納済の４個の印加階調値のうち上記とは異なる３個を「ダウン」値（前階調値をそれより低い後階調値に減少させるために使用される。）として使用し、１次式中のａ、ｂ、及びｃの他の一つのセットを決定し、格納してもよい。
【０１５９】
それから、階調表示が適切に行えるように、液晶に実際に印加される適切な階調値Ｈを適切に補間するために、前階調値及び後階調値が１ブロック内の格納済の値（複数）の間に収まるように、対応する格納済の当該ブロックにおける「アップ」用又は「ダウン」用ａ、ｂ、及びｃの変数値が正確な補間のために使用される。このように、適切な印加階調値Ｈのための正確な補間が、対応するブロックの局所座標系の格納済の１次式中のａ、ｂ、及びｃを使用した、局所座標（ξ、η）で表された前階調値及び後階調値に基づいて行われる。限定されない例を以下に示す。
【０１６０】
最初に、局所座標で表される４個の前階調値及び後階調値のグループのための４個の印加階調値（液晶に印加される階調値）からなる複数のセットが、たとえば、一つのルックアップテーブルの複数のメモリブロック中に格納される。たとえば、図３（ａ）のテーブル１中の４個の前階調値及び後階調値のグループに対応する９番目のメモリブロック内に、印加階調値３２（前階調値３２と後階調値３２とに対応する。）、印加階調値９２（前階調値３２と後階調値６４とに対応する。）、印加階調値６４（前階調値６４と後階調値６４とに対応する。）、及び印加階調値２４（前階調値６４と後階調値３２とに対応する。）が格納されていてもよい。これらの印加階調値は既知であるので、局所座標（ξ、η）の１次式ａξ＋ｂη＋ｃ＝Ｈの対応する「アップ」用及び／又は「ダウン」用ａ、ｂ、及びｃの値も特定できる。このように、これらは、印加階調値と共に９番目のメモリブロック中に格納される。つまり、「アップ」用ａ、ｂ、及びｃは、それぞれ、ａ＝６０／３２、ｂ＝−２８／３２、及びｃ＝３２となる。また、「ダウン」用ａ、ｂ、及びｃは、それぞれ、ａ＝４０／３２、ｂ＝−１０／３２、及びｃ＝３２となる。
【０１６１】
なお、図３（ａ）のテーブル１中には、たとえば、４個の前階調値及び後階調値のグループに対応するメモリブロックが、合計６４個存在する。すなわち、図３（ａ）のテーブル１中には、０番目のメモリブロック（印加階調値０、８８、３２、及び０が格納されている。）〜７番目のメモリブロック（印加階調値２３８、２５５、２５５、及び２３８が格納されている。）、…、５６番目のメモリブロック（印加階調値０、８、０、及び０が格納されている。）〜６３番目のメモリブロック（印加階調値２２４、２５５、２５５、及び２２０が格納されている。）の合計６４個存在する。
【０１６２】
また、以上は、図３（ａ）のテーブル１において、合計６４個のメモリブロックが存在する場合について説明したが、本発明はこれに限定されるものではなく、４個、８個、１６個、又は３２個等のメモリブロックが存在する場合でもよく、これらの各場合において各メモリブロック内に格納済の印加階調値のうち、３個を「アップ」値として使用し、１次式中のａ、ｂ、及びｃの一つのセットを決定し、格納してもよいし、及び／又は格納済の上記印加階調値のうち上記とは異なる３個を「ダウン」値として使用し、１次式中のａ、ｂ、及びｃの他の一つのセットを決定し、格納してもよい。各メモリブロック内に格納済の印加階調値の数に応じて表示精度を変えることが可能となる。つまり、表示精度に応じて、各メモリブロック内に格納済の印加階調数を設定することによって、所望の表示が得られる。
【０１６３】
以上のように、メモリブロック中の格納済の値を使用して補間することによって、メモリに格納されていない前階調値及び後階調値に係る正確な印加階調値を迅速に且つ容易に求めることが可能となる。たとえば、局所座標（４８、５６）に対応する前階調値４８及び後階調値５６に対して、上記９番目のメモリブロック中の値が使用される。なぜなら、前階調値４８は９番目のメモリブロックに格納済の前階調値３２と６４の間に収まると共に、前階調値５６は格納済の前階調値３２と６４の間に収まるからである。更に、前階調値４８が後階調値５６に増加されるので、９番目のメモリブロックに対して、対応する格納済の「アップ」用ａ、ｂ、及びｃの値を使用してもよい。これらの値を局所座標（４８、５６）の１次式ａξ＋ｂη＋ｃ＝Ｈに代入すると、正確な印加階調値Ｈである７３が迅速且つ能率的に決定される。
【０１６４】
なお、採用した上記補間演算は、線形補間演算に限定されない。本発明に係る種々の実施の形態によれば、本発明の種々の実施の形態のそれぞれに記載の多種多様な補間演算（たとえば、２次式を含む多項式を用いる補間演算等）は、上述のメモリブロック参照態様（ｌｏｏｋ−ｕｐ　ａｓｐｅｃｔ）に適用可能である。また、このメモリブロック参照は、補間式がａξ＋ｂη＋ｃζ＋ｄ＝Ｋを満足する局所座標（ξ、η、ζ）に関する１次式によって定義される場合に適用可能である。更に、たとえば、印加階調値ＩやＪ等の補間値を前述のようにして求めるために、温度やその他の付加的条件を含む補間は、メモリブロックを使用して同様に行える。
【０１６５】
このようにして、液晶表示装置は、複数のメモリブロックを含む少なくとも一つのメモリを含み、各ブロックは複数の階調電圧値を格納し、各階調電圧値は液晶ディスプレイ（表示）を前階調電圧値から後階調電圧値に変え、これらの電圧値は局所座標空間の一対の前階調値及び後階調値に対応する液晶表示装置に展開し得る。この液晶表示装置は、更に、階調値を補間するようにする、また、現在表示されている階調から所望の目標階調に液晶表示を変えるようにする印加階調値取得部を有している。印加階調値は、局所座標内の現在表示中の階調値（前階調値）および所望の目標階調値（後階調値）に近い階調電圧値を含む少なくとも一つの上記メモリのメモリブロックを使用して行う補間によって決定されるようになっている。更に、上記複数のメモリブロックは、上記階調値を補間するときに使用可能な変数を格納するようになっている。
【０１６６】
本発明に係る液晶表示装置は、次のように表現することもできる。即ち、本発明に係る液晶表示装置は、以上のように、液晶に印加する電圧を変えることで階調表示を行い、１フレーム前の階調である前階調と次フレームの階調である後階調とに対応付けて、液晶に実際に印加する印加階調値が設定されている液晶表示装置であって、階調間を間引いて用意されると共に、上記印加階調値が格納された複数のルックアップテーブルと、上記複数のルックアップテーブルを参照して、該当する印加階調値が格納されていない場合に、格納された印加階調値に基づいて補間演算した値を上記印加階調値として取得する印加階調値取得手段とを含んでいる。
【０１６７】
上記の液晶表示装置によれば、液晶に印加する電圧を変化させることによって、階調表示が行われる。この際、１フレーム前の階調と次フレームの階調とに対応つけて液晶に実際に印加される印加階調値が設定される。
【０１６８】
従来液晶表示装置においては、液晶材料を急峻に目標階調へと動かす“オーバーシュート駆動”が用いられている。このオーバーシュート駆動では、液晶材料に印加すべき印加階調値を定めたルックアップテーブルを予め用意しておき、これに基づき電圧印加を行うようになっている。この場合、階調変化の全パターンに対応する印加電圧値（全ての階調の印加電圧値）を予め求めることによってＬＵＴを作成しているので、該ＬＵＴを記憶するメモリの容量が著しく大きくなってしまうという問題を招来する。
【０１６９】
そこで、本発明の液晶表示装置においては、ルックアップテーブルは、階調間を間引いて用意される。したがって、ルックアップテーブルのメモリ容量を、全ての階調の印加電圧値を求める場合よりもはるかに小さくできる。
【０１７０】
本液晶表示装置は、更に印加階調値取得手段を備えているので、この印加階調値取得手段は、上記複数のルックアップテーブルを参照して、該当する印加階調値が格納されていない場合に、格納された上記印加階調値に基づいて補間演算した値を上記印加階調値として取得する。なお、印加階調値取得手段は、該当する印加階調値が格納されている場合には、格納された印加階調値を取得する。
【０１７１】
また、上記印加階調値取得手段は、上記前階調及び後階調を軸とする局所座標を用いて補間演算することが好ましい。この場合、局所座標を用いているので、その分、精度が向上する。
【０１７２】
更に、上記複数のルックアップテーブルは、上記液晶の応答特性を変化させる付加的条件に応じて用意されると共に、該付加的条件間を間引いて用意され、上記印加階調値取得手段は、該当する付加的条件に合ったルックアップテーブルがない場合に、格納された上記印加階調値に基づいて補間演算した値を上記印加階調値として取得することが好ましい。
【０１７３】
従来の液晶表示装置においては、温度等の付加的条件によっては、適切なオーバーシュート駆動を実施できず、自然な高速表示を行えない。そこで、本液晶表示装置によれば、ルックアップテーブルは、上記液晶の応答特性を変化させる付加的条件に応じて用意されると共に、該付加的条件間を間引いて用意される。
【０１７４】
このように付加的条件を考慮しているにもかかわらず、ルックアップテーブルにおいて付加的条件が間引いて用意されるので、メモリ容量が大幅に大きくなることなしに、付加的条件に応じて適切なオーバーシュート駆動が実施でき、自然な高速表示が行える。
【０１７５】
上記の印加階調値取得手段は、上記複数のルックアップテーブルを参照して、付加的条件に合ったルックアップテーブルがない場合には、格納済の内容に基づいて補間演算した値を上記印加階調値として取得する。なお、印加階調値取得手段においては、付加的条件に合ったルックアップテーブルがある場合には、このルックアップテーブルに格納済の内容に基づいて得られた印加階調値が使用される。本発明の液晶表示装置は、以上のように、液晶に印加する電圧を変えることで階調表示を行い、１フレーム前の階調である前階調と次フレームの階調である後階調とに対応付けて、液晶に実際に印加する印加階調値が設定されている液晶表示装置において、前階調と後階調とに対応つけて印加階調値が格納されたルックアップテーブル（ＬＵＴ）が、液晶の応答特性を変化させる付加的条件に応じて複数設けられ、かつ、上記複数のＬＵＴを参照して、付加的条件と前階調および後階調の組み合わせとに応じた印加階調値として、当該付加的条件および組み合わせに該当する印加階調値がＬＵＴに格納されている場合はその値をそのまま取得する一方、それ以外の場合は、ＬＵＴに格納されている当該付加的条件および組み合わせに近い印加階調値を用いて補間演算することで値を取得する印加階調値取得手段を備えており、上記印加階調値取得手段は、前階調および後階調の組み合わせ間においては、前階調と後階調とで定義される空間軸に付随する局所座標を用いて補間演算を行うことを特徴としている。
【０１７６】
液晶表示装置は、通常、画素に対して印加階調値に基づいた印加電圧を印加することで階調表示を行っている。そして、従来、液晶表示装置においては、液晶の応答特性を早くするために、例えば、画素の階調データが、前フレームの階調データである前階調から次フレームの階調データである後階調に切り替わった際、液晶に印加される印加電圧を、階調データ間の違いに対応する電圧差より大きくするオーバーシュート駆動が用いられている。
【０１７７】
この切り替えに応じた印加電圧（前階調から後階調に切り替わるときに対応した印加階調値に基づいた印加電圧）を示す印加階調値は、前階調と後階調とに対応付けて、ＬＵＴに格納されており、該ＬＵＴより見つけだして、該印加電圧を印加して画素の階調表示を行っている。
【０１７８】
本発明の液晶表示装置では、このＬＵＴを記憶するためのメモリ等の容量を小さく抑え得るように、前階調と後階調とは全階調ではなく、階調間を間引いてＬＵＴを作成しており、印加階調値取得手段が、切り替えに対応した印加階調値、つまり、前階調と後階調との組み合わせに直接該当する印加階調値がＬＵＴに格納されている場合はその値を用いる一方、該当する印加階調値が格納されていない場合は、ＬＵＴに格納されている当該組み合わせに近い組み合わせの印加階調値の値を補間演算することで、取得するようになっている。
【０１７９】
また、本発明の液晶表示装置では、さらに、温度等の液晶の応答特性を変化させる付加的条件に応じてＬＵＴが複数個を用意されており、付加的条件をも加味した印加階調値を取得できるようになっている。この場合も、ＬＵＴを記憶するためのメモリ等の容量を小さく抑え得るように、付加的条件が温度であるならば、全温度ではなく、温度間を間引いてＬＵＴの数を抑えており、印加階調値取得手段が、当該付加的条件に合ったＬＵＴがある場合は、該ＬＵＴの値を元に得られた印加階調値を使用し、付加的条件に合ったＬＵＴがない場合は、当該付加的条件に近い、つまり、付加的条件が温度であれば、その温度に近い温度のＬＵＴを複数使用し、各ＬＵＴを元に得られた印加階調値を元に補間演算することで、当該付加的条件に応じた印加階調値を取得するようになっている。
【０１８０】
そして特に、本発明の液晶表示装置では、補間演算して前階調及び後階調の複数の組み合わせに付加的条件を加味した印加階調値を得るにあたり、前階調および後階調の組み合わせ間における補間演算は、ＬＵＴに示される後階調と前階調とで定義される空間軸に付随する局所座標を用いるようになっている。このように、局所座標を用いた場合、補間領域を領域全体で補間する場合に比べて小さく設定でき、例えば、線形補間等のような単純な補間でも充分な精度が補償できるために、前階調および後階調の組み合わせ間における補間精度が上がり、前階調および後階調の組み合わせ間における補間演算にて求めた値が、より実測に近い連続性の高いものとなるため、付加的条件に対しては、たとえ普通に演算補間したとしても、付加的条件を考慮した高精度の印加階調値を算出することが可能となる。
【０１８１】
このように、上記の液晶表示装置では、例えば、温度、セル厚、映像周波数（フレーム周波数）等の付加的条件による影響のもとであっても、その付加的条件に応じた印加階調値、すなわち補間値を補間演算にて精度よく求めることができる。特に、付加的条件に合ったＬＵＴがない場合であっても、最終的な印加階調値を求めるために用いた値（各ＬＵＴの印加階調値（補間値））が、局所座標を用いて精度よく求められているため、印加階調値が高精度の補間値となっている。
【０１８２】
したがって、本発明の液晶表示装置は、例えば、従来のような局所座標を用いない上に、温度等の付加的条件を考慮しない補間値に比べて、メモリ等の容量を増加させることなく、付加的条件を考慮しながら高精度の印加階調値を算出できる。その結果、補間演算を用いることで、ＬＵＴを格納するためのメモリの容量を極力削減しながら、かつ、温度等の付加的条件に左右されることなく、適切なオーバーシュート駆動を実施して、自然な高速表示を行える。
【０１８３】
また、本発明の液晶表示装置では、上記の構成に加えて、上記印加階調値取得手段は、局所座標を用いて補間演算を行うにあたり、ＬＵＴ内に格納されている前階調および後階調の組み合わせの中から、補間演算にて取得しようとする当該前階調および後階調の組み合わせに近い４つの組み合わせを選択し、そのうちの１つの組み合わせを局所座標系の原点とし、該原点と他の組み合わせとの差分を局所変数とすることが好ましい。
【０１８４】
上記の構成によれば、局所座標を設定するとき、まず、補間演算にて取得しようとする前階調と後階調との組み合わせ（目標組み合わせ階調）に近い４つの組み合わせ、例えば、既にＬＵＴに格納されている前階調と後階調の組み合わせのうち、目標組み合わせ階調に近い組み合わせを、前階調と後階調とで定義される空間軸に表示する。そして、上記の４つの組み合わせのうち、１つの組み合わせを原点とした局所座標を設定する。
【０１８５】
かかる局所座標では、例えば、前階調・後階調の値をそのまま用いて定義する局所座標に比べて、目標組み合わせ階調の属する局所座標を正しく特定することができるので、取得する印加階調値（補間値）の補間精度が向上することになる。
【０１８６】
また、本発明の液晶表示装置は、以上のように、液晶に印加する電圧を変えることで階調表示を行い、１フレーム前の階調である前階調と次フレームの階調である後階調とに対応付けて、液晶に実際に印加する印加階調値が設定されている液晶表示装置において、前階調と後階調とに対応つけて印加階調値が格納されたＬＵＴが、液晶の応答特性を変化させる付加的条件に応じて複数設けられ、かつ、上記複数のＬＵＴを参照して、付加的条件と前階調および後階調の組み合わせとに応じた印加階調値として、当該付加的条件および組み合わせに該当する印加階調値がＬＵＴに格納されている場合はその値をそのまま取得する一方、それ以外の場合は、ＬＵＴに格納されている当該付加的条件および組み合わせに近い印加階調値を用いて補間演算することで値を取得する印加階調値取得手段を備えており、上記印加階調値取得手段は、前階調と後階調と付加的条件とで定義される空間軸に付随する局所座標を用いて補間演算を行うことを特徴としている。
【０１８７】
上記の構成によれば、所望の組み合わせの印加階調値がＬＵＴに格納されている場合はその値をそのまま出力する一方、該当する印加階調値がＬＵＴにない場合は補間演算を行うようになっている。
【０１８８】
この補間演算では、印加階調値取得手段が、付加的条件（例えば、温度等）に応じて複数格納されたＬＵＴを用いて行うようになっている。特に、この補間演算では、ＬＵＴに示される後階調と前階調と該付加的条件とで定義される空間軸に付随する局所座標を用いる。例えば、付加的条件に合ったＬＵＴがある場合、該ＬＵＴに対応した局所座標を用いて、線形補間等の補間演算を用いて印加階調値（補間値）を取得する。
【０１８９】
一方、付加的条件に合ったＬＵＴがない場合は、付加的条件に近い複数のＬＵＴを用いて、印加階調値を求め（補間値）を取得する。
【０１９０】
このように、上記の液晶表示装置では、例えば、温度、セル厚、映像周波数（フレーム周波数）等の付加的条件による影響のもとであっても、その付加的条件に応じた印加階調値（補間値）を、局所座標を用いた補間演算にて精度よく求めることができる。
【０１９１】
したがって、本発明の液晶表示装置は、例えば、従来のような局所座標を用いない上に、温度等の付加的条件を考慮しない補間値に比べて、付加的条件を考慮しながら高精度の印加階調値を算出できる。その結果、補間演算を用いることで、ＬＵＴを格納するためのメモリの容量を極力削減しながら、かつ、温度等の付加的条件に左右されることなく、適切なオーバーシュート駆動を実施して、自然な高速表示を行える。
【０１９２】
また、本発明の液晶表示装置では、上記の構成に加えて、上記印加階調値取得手段は、局所座標を用いて補間演算を行うにあたり、当該付加的条件に近い２つのＬＵＴを用い、各ＬＵＴ内に格納されている前階調および後階調の組み合わせの中から、補間演算にて取得しようとする当該前階調および後階調の組み合わせに近い４つの組み合わせをそれぞれ選択し、これら８つの組み合わせで構成される空間に対して、そのうちの１つの組み合わせを局所座標系の原点とし、該原点と他の組み合わせとの差分を局所変数とすることが好ましい。
【０１９３】
上記の構成によれば、局所座標を設定するとき、まず、付加的条件に近い２つのＬＵＴを選択し、各ＬＵＴにおいて、補間演算にて取得しようとする前階調と後階調との組み合わせ（目標組み合わせ階調）に近い４つの組み合わせを選択する。したがって、２つのＬＵＴを用いるので、８つの組み合わせを選択する。そして、上記の８つの組み合わせのうち、１つの組み合わせを原点とした局所座標を設定する。
【０１９４】
かかる局所座標では、例えば、前階調・後階調・付加的条件の値をそのまま用いて定義する局所座標に比べて、目標組み合わせ階調の属する局所座標を正しく特定することができるので、取得する印加階調値（補間値）の補間精度が向上することになる。
【０１９５】
また、本発明の液晶表示装置は、以上のように、液晶に印加する電圧を変えることで階調表示を行い、１フレーム前の階調である前階調と次フレームの階調である後階調とに対応付けて、液晶に実際に印加する印加階調値が設定されている液晶表示装置において、前階調と後階調とに対応付けて印加階調値が格納されたＬＵＴと、前階調および後階調の組み合わせに応じた印加階調値として、上記ＬＵＴを参照し、ＬＵＴ内に当該組み合わせの印加階調値が格納されている場合はその値をそのまま取得する一方、ＬＵＴ内に当該組み合わせの印加階調値が格納されていない場合は、ＬＵＴ内に格納されている当該組み合わせに近い複数の印加階調値を用いて補間演算することで値を取得する印加階調値取得手段とを有し、上記印加階調値取得手段は、補間演算するにあたり、前階調と後階調とで定義される空間軸に付随する局所座標を用いることを特徴としている。
【０１９６】
上記の構成によれば、取得しようとする前階調と後階調との組み合わせ（目標組み合わせ階調）に対応する印加階調値を、前階調と後階調とで定義される空間軸に付随する局所座標を用いて算出（取得）している。そのため、例えば、局所座標を用いない補間演算にて取得される印加階調値に比べて、高精度の印加階調値（補間値）となる。
【０１９７】
また、本発明の液晶表示装置では、上記の構成に加えて、上記印加階調値取得手段は、局所座標を用いて補間演算を行うにあたり、ＬＵＴ内に格納されている前階調および後階調の組み合わせの中から、補間演算にて取得しようとする当該前階調および後階調の組み合わせに近い４つの組み合わせを選択し、そのうちの１つの組み合わせを局所座標系の原点とし、該原点と他の組み合わせとの差分を局所変数とすることが好ましい。
【０１９８】
上記の構成によれば、局所座標を設定するとき、まず、補間演算にて取得しようとする前階調と後階調との組み合わせ（目標組み合わせ階調）に近い４つの組み合わせ、すなわち、既にＬＵＴに格納されている前階調と後階調の組み合わせのうち、目標組み合わせ階調に近い組み合わせを、前階調と後階調とで定義される空間軸に表示する。そして、上記の４つの組み合わせのうち、１つの組み合わせを原点とした局所座標を設定する。
【０１９９】
かかる局所座標では、例えば、前階調・後階調の値をそのまま用いて定義する局所座標に比べて、目標組み合わせ階調の属する局所座標を正しく特定することができるので、取得する印加階調値（補間値）の補間精度が向上することになる。
【０２００】
また、本発明の液晶表示装置では、上記の構成に加えて、上記印加階調値取得手段は、局所座標を用いた補間演算を行うにあたり、該局所座標の座標軸の数ｎ（ｎは２以上の整数）に対し、局所座標で表される空間を、印加階調値が既知の組み合わせを頂点とするｎ＋１の数の頂点からなる領域に分割し、各分割した領域ごとに補間演算を行うことが好ましい。
【０２０１】
上記の構成によれば、例えば、後階調・前階調・付加的条件を軸とする座標（３次元の座標）に付随する局所座標であれば、４つの点で印加階調値に対応する局所座標上の点（目標点）を囲えることになる。そして、この局所座標の３本（ｎ＝３）の座標軸で表現される目標点を、補間演算に用いる補間式で最も簡単に表現しようとすると、４つの未知数が必要となる。そのため、４つ（ｎ＋１＝３＋１）の格子点が必要となる。すなわち、目標点を例えば１次式で表現して補間演算を行おうとすると、４つの格子点があればよいことになる。したがって、上記構成によると、１次式を用いた補間式で補間演算できることになり、補間演算の計算に要する労力を低減できる（例えば、メモリの容量等の削減）。
【０２０２】
また、本発明の液晶表示装置では、上記の構成に加えて、上記印加階調値取得手段は、さらに、上記のｎ＋１の数の頂点に加え、該ｎ＋１の頂点を各々接続した辺に位置する中間点を用いて補間演算を行うことが好ましい。
【０２０３】
上記の構成によれば、補間式に用いることのできる点が増加することになる。したがって、例えば、２次式等の多項式を用いた補間演算を行うことができる。そのため、１次式に比べて、補間精度を向上させることができる。
【０２０４】
なお、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的手段に含まれる。
【０２０５】
【発明の効果】
本発明の液晶表示装置は、以上のように、それぞれ、複数の前階調値及び後階調値と、液晶ディスプレイに印加される対応階調電圧値とを格納する少なくとも一つのルックアップテーブルと、少なくとも一つの上記ルックアップテーブルを参照し、前階調から後階調に液晶ディスプレイを変えるために上記液晶ディスプレイに印加される階調電圧値を決定する印加階調値取得手段とを備え、対応印加階調値は、それに係る前階調値及び後階調値が格納された、少なくとも一つの上記ルックアップテーブルから読み出されると共に、印加階調値は、前階調軸及び後階調軸を含む局所座標系、並びにこの局所座標系内で格納済の前階調値及び後階調値に対応する複数の印加階調値を使用して行う補間により決定される構成を有している。
【０２０６】
上記の発明によれば、少なくとも一つのルックアップテーブルが設けられ、各ルックアップテーブルには、複数の前階調値及び後階調値と、液晶ディスプレイに印加される対応階調電圧値（上記前階調値及び後階調値に対応する階調電圧値）とが格納されている。印加階調値取得手段によって、階調電圧値が決定されて液晶ディスプレイに印加されると、前階調（現在表示されている階調）から後階調（所望の目標階調）にディスプレイが変わる。
【０２０７】
対応印加階調値に基づいてディスプレイを変える場合には、上記の前階調値及び後階調値が格納された、少なくとも一つの上記ルックアップテーブルから当該対応印加階調値が読み出される。
【０２０８】
対応印加階調値がルックアップテーブルに格納されていない場合には、印加階調値取得手段は、少なくとも一つの上記ルックアップテーブルを参照し、上記階調電圧値を決定する。この際、印加階調値は、前階調軸及び後階調軸を含む局所座標系、並びにこの局所座標系内で格納済の前階調値及び後階調値に対応する複数の印加階調値を使用して行う補間により決定される。
【０２０９】
このように、所望の印加階調値を格納済の印加階調値に基づいて補間により求めるので、ルックアップテーブル（ＬＵＴ）を記憶するためのメモリ等の容量を小さく抑え得る。つまり、前階調と後階調とは全階調ではなく、階調間を間引いてＬＵＴを作成できる。
【０２１０】
したがって、本発明の液晶表示装置は、例えば、従来のような局所座標を用いない場合に比べて、メモリ等の容量を増加させることなく、高精度の印加階調値を算出できる。その結果、補間演算を用いることで、ＬＵＴを格納するためのメモリの容量を極力削減しながら、しかも、適切なオーバーシュート駆動を実施して、自然な高速表示を行えるという効果を併せて奏する。
【０２１１】
上記液晶表示装置において、少なくとも一つの上記ルックアップテーブルは、上記液晶の応答特性を変化させる付加的条件に応じて設けられた少なくとも一つの付加的条件用ルックアップテーブルを含み、前階調から後階調に上記ディスプレイを変える上記印加階調値は上記付加的条件に応じて変化し、上記印加階調値取得手段は、少なくとも一つの上記付加的条件用ルックアップテーブルを使用して上記補間演算を行うことが好ましい。
【０２１２】
この場合、液晶の応答特性を変化させる付加的条件に応じてＬＵＴが少なくとも一つ用意されており、付加的条件をも加味した印加階調値を取得できる。この場合も、ＬＵＴを記憶するためのメモリ等の容量を小さく抑え得るように、全ての付加的条件ではなく、付加的条件間を間引いてＬＵＴの数を抑えている。
【０２１３】
したがって、従来のような局所座標を用いない上に、温度等の付加的条件を考慮しない補間値に比べて、メモリ等の容量を増加させることなく、付加的条件を考慮しながら高精度の印加階調値を算出できる。その結果、補間演算を用いることで、ＬＵＴを格納するためのメモリの容量を極力削減しながら、かつ、温度等の付加的条件に左右されることなく、適切なオーバーシュート駆動を実施して、自然な高速表示を行えるという効果を併せて奏する。
【０２１４】
上記印加階調値取得手段は、局所座標系を用いて補間演算を行うにあたり、表示されるべき前階調値及び後階調値に近い、格納済の前階調値および後階調値の４つの組み合わせを選択し、そのうちの１つの組み合わせを上記局所座標系の原点として使用し、該原点と他の組み合わせとの差分を局所変数として使用することが好ましい。
【０２１５】
上記の構成によれば、局所座標系を設定するとき、まず、補間演算にて表示されるべき前階調と後階調との組み合わせに近い４つの組み合わせ、例えば、既にＬＵＴに格納されている前階調と後階調の組み合わせのうち、目標組み合わせ階調に近い組み合わせを、前階調と後階調とで定義される空間軸に表示する。そして、上記の４つの組み合わせのうち、１つの組み合わせを原点とした局所座標系を設定することができるという効果を併せて奏する。
【０２１６】
上記印加階調値取得手段は、上記前階調と上記後階調と上記付加的条件とで定義される軸を有する（軸に付随する）局所座標系を用いて補間演算を行うことが好ましい。また、上記付加的条件として温度が挙げられる。
【０２１７】
また、上記印加階調値取得手段は、上記局所座標系を用いて補間演算を行うにあたり、上記付加的条件に近い２つのルックアップテーブルを用い、表示されるべき前階調値及び後階調値に近い、格納済の前階調値および後階調値の４つの組み合わせを選択し、これら８つの組み合わせのうちの１つをこれら８つの組み合わせを有する上記局所座標系の原点とし、該原点と他の組み合わせとの差分を局所変数として用いることが好ましい。
【０２１８】
上記の構成によれば、局所座標系を設定するとき、まず、付加的条件に近い２つのＬＵＴを選択し、各ＬＵＴにおいて、補間演算にて取得しようとする前階調と後階調との組み合わせ（目標組み合わせ階調）に近い４つの組み合わせを選択する。したがって、２つのＬＵＴを用いるので、８つの組み合わせを選択する。そして、上記の８つの組み合わせのうち、１つの組み合わせを原点とした局所座標系を設定する。
【０２１９】
かかる局所座標系では、例えば、前階調・後階調・付加的条件の値をそのまま用いて定義する局所座標系に比べて、目標組み合わせ階調の属する局所座標系を正しく特定することができるので、取得する印加階調値（補間値）の補間精度を向上させることが可能となるという効果を併せて奏する。
【０２２０】
上記印加階調値取得手段は、上記局所座標系を用いて補間演算を行うにあたり、表示されるべき前階調値及び後階調値に近い、格納済の前階調値および後階調値の４つの組み合わせを選択し、そのうちの１つの組み合わせを上記局所座標系の原点として使用し、該原点と他の組み合わせとの差分を局所変数として使用することが好ましい。
【０２２１】
上記の構成によれば、局所座標系を設定するとき、まず、補間演算にて取得しようとする前階調と後階調との組み合わせ（目標組み合わせ階調）に近い４つの組み合わせ、すなわち、既にＬＵＴに格納されている前階調と後階調の組み合わせのうち、表示されるべき目標組み合わせ階調に近い組み合わせを、前階調と後階調とで定義される空間軸に表示する。そして、上記の４つの組み合わせのうち、１つの組み合わせを原点とした局所座標系を設定する。
【０２２２】
かかる局所座標系では、例えば、前階調・後階調の値をそのまま用いて定義する局所座標系に比べて、目標組み合わせ階調の属する局所座標を正しく特定することができるので、取得する印加階調値（補間値）の補間精度を向上させることが可能となるという効果を併せて奏する。
【０２２３】
上記液晶表示装置において、局所座標系で表される空間は、格納済の印加階調値の組み合わせを頂点とするｎ＋１の数の頂点からなる領域に分割され、局所座標系の座標軸の数は、ｎ（ｎは２以上の整数）に等しく、上記印加階調値取得手段は、どのような分割領域においても上記補間を行うことが好ましい。
【０２２４】
上記の構成によれば、例えば、後階調・前階調・付加的条件を軸とする座標（３次元の座標）に付随する局所座標であれば、４つの点で印加階調値に対応する局所座標上の点（目標点）を囲えることになる。そして、この局所座標の３本（ｎ＝３）の座標軸で表現される目標点を、補間演算に用いる補間式で最も簡単に表現しようとすると、４つの未知数が必要となる。そのため、４つ（ｎ＋１＝３＋１）の格子点が必要となる。すなわち、目標点を例えば１次式で表現して補間演算を行おうとすると、４つの格子点があればよいことになる。したがって、上記構成によると、１次式を用いた補間式で補間演算できることになり、補間演算の計算に要する労力を低減できる（例えば、メモリの容量等の削減）という効果を併せて奏する。
【０２２５】
上記印加階調値取得手段は、さらに、上記のｎ＋１の数の頂点に加え、該ｎ＋１の頂点を各々接続した辺に位置する中間点を用いて補間演算を行うことが好ましい。
【０２２６】
上記の構成によれば、補間式に用いることのできる点が増加することになる。したがって、例えば、２次式等の多項式を用いた補間演算を行うことができる。そのため、１次式に比べて、補間精度を向上させることができるという効果を併せて奏する。
【０２２７】
本発明の他の液晶表示装置は、それぞれ、複数の前階調値及び後階調値と、液晶ディスプレイに印加される対応階調電圧値とを格納する少なくとも一つのルックアップテーブルと、印加階調値が少なくとも一つの上記ルックアップテーブルに格納されていない場合、少なくとも一つの上記ルックアップテーブルを参照し、前階調から後階調に上記液晶ディスプレイを変えるために上記液晶ディスプレイに印加される階調電圧値を決定する印加階調値取得手段とを備えている。
【０２２８】
上記の発明によれば、少なくとも一つのルックアップテーブルが設けられ、各ルックアップテーブルには、複数の前階調値及び後階調値と、液晶ディスプレイに印加される対応階調電圧値とが格納されている。印加階調値取得手段によって、階調電圧値が決定されて液晶ディスプレイに印加されると、前階調（現在表示されている階調）から後階調（所望の目標階調）にディスプレイが変わる。
【０２２９】
印加階調値取得手段は、印加階調値が少なくとも一つの上記ルックアップテーブルに格納されている場合には、それが読み出される。一方、格納されていない場合、印加階調値取得手段は、少なくとも一つの上記ルックアップテーブルを参照し、前階調から後階調に上記液晶ディスプレイを変えるために上記液晶ディスプレイに印加される階調電圧値を補間により決定する。
【０２３０】
このように、所望の印加階調値を格納済の印加階調値に基づいて補間により求めるので、ルックアップテーブル（ＬＵＴ）を記憶するためのメモリ等の容量を小さく抑え得る。つまり、前階調と後階調とは全階調ではなく、階調間を間引いてＬＵＴを作成できる。
【０２３１】
したがって、本発明の液晶表示装置は、例えば、従来のような局所座標を用いない場合に比べて、メモリ等の容量を増加させることなく、高精度の印加階調値を算出できる。その結果、補間演算を用いることで、ＬＵＴを格納するためのメモリの容量を極力削減しながら、しかも、適切なオーバーシュート駆動を実施して、自然な高速表示を行えるという効果を併せて奏する。
【０２３２】
上記印加階調値取得手段は、上記前階調及び後階調を軸とする局所座標を用いて補間演算することが好ましい。
【０２３３】
上記の液晶表示装置において、少なくとも一つの上記ルックアップテーブルは、上記液晶の応答特性を変化させる少なくとも一つの付加的条件に応じて用意されると共に、少なくとも一つの該付加的条件間を間引いて用意され、上記印加階調値取得手段は、該当する付加的条件に合ったルックアップテーブルがない場合に、少なくとも一つの上記ルックアップテーブルに格納された印加階調値を用いて補間演算した値を上記印加階調値として決定することが好ましい。
【０２３４】
この場合、液晶の応答特性を変化させる付加的条件に応じてＬＵＴが少なくとも一つ用意されており、付加的条件をも加味した印加階調値を取得できる。この場合も、ＬＵＴを記憶するためのメモリ等の容量を小さく抑え得るように、全ての付加的条件ではなく、付加的条件間を間引いてＬＵＴの数を抑えている。
【０２３５】
したがって、従来のような局所座標を用いない上に、温度等の付加的条件を考慮しない補間値に比べて、メモリ等の容量を増加させることなく、付加的条件を考慮しながら高精度の印加階調値を算出できる。その結果、補間演算を用いることで、ＬＵＴを格納するためのメモリの容量を極力削減しながら、かつ、温度等の付加的条件に左右されることなく、適切なオーバーシュート駆動を実施して、自然な高速表示を行えるという効果を併せて奏する。
【０２３６】
上記の構成によれば、例えば、後階調・前階調・付加的条件を軸とする座標（３次元の座標）に付随する局所座標系であれば、４つの点で印加階調値に対応する局所座標上の点（目標点）を囲えることになる。そして、この局所座標の３本（ｎ＝３）の座標軸で表現される目標点を、補間演算に用いる補間式で最も簡単に表現しようとすると、４つの未知数が必要となる。そのため、４つ（ｎ＋１＝３＋１）の格子点が必要となる。すなわち、目標点を例えば１次式で表現して補間演算を行おうとすると、４つの格子点があればよいことになる。したがって、上記構成によれば、１次式を用いた補間式で補間演算できることになり、補間演算の計算に要する労力を低減できる（例えば、メモリの容量等の削減）という効果を併せて奏する。
【０２３７】
上記印加階調値取得手段は、さらに、上記のｎ＋１の数の頂点に加え、該ｎ＋１の頂点を各々接続した辺に位置する中間点を用いて補間演算を行うことが好ましい。
【０２３８】
上記の構成によれば、補間式に用いることのできる点が増加することになる。したがって、例えば、２次式等の多項式を用いた補間演算を行うことができる。その結果、１次式に比べて、補間精度を向上させることができるという効果を併せて奏する。
【０２３９】
本発明の更に他の液晶表示装置は、上記課題を解決するために、複数のメモリブロックを含む少なくとも一つのルックアップテーブルを備え、各メモリブロックは複数の階調電圧値を格納するようになっており、各階調電圧値は、液晶ディスプレイに印加されて該液晶ディスプレイを前階調から後階調に変化させるようになっており、上記各階調電圧値は、局所座標空間において一対の前階調値と後階調値に対応し、更に、上記液晶ディスプレイに印加されて上記液晶ディスプレイを現在表示されている前階調から所望の後階調に変化させるように階調電圧値を補間する印加階調値取得手段を備え、上記局所座標系において、現在表示されている前階調値及び所望の後階調値に近い階調電圧値を含む少なくとも一つのルックアップテーブルにおけるメモリブロックを用いて補間により印加階調値が決定される構成を有している。
【０２４０】
上記の発明によれば、少なくとも一つのルックアップテーブルが設けられ、各ルックアップテーブルには、複数のメモリブロックが含まれる。各メモリブロックには、複数の階調電圧値が格納されている。各階調電圧値が液晶ディスプレイに印加されると、前階調（現在表示されている階調）から後階調（所望の目標階調）にディスプレイが変わる。各階調電圧値は、局所座標空間において一対の前階調値と後階調値に対応している。
【０２４１】
印加階調値取得手段は、上記液晶ディスプレイに印加されて上記液晶ディスプレイを現在表示されている前階調から所望の後階調に変化させるように階調電圧値を補間する。この補間は、上記局所座標系において、現在表示されている前階調値及び所望の後階調値に近い階調電圧値を含む少なくとも一つのルックアップテーブルにおけるメモリブロックを用いて行われ、印加階調値が決定される。
【０２４２】
このように、メモリブロックに格納済の階調電圧値に基づいて補間により所望の印加階調値（メモリブロックに格納されていない印加階調値）を求めることができるので、ルックアップテーブル（ＬＵＴ）を記憶するためのメモリ等の容量を小さく抑えることが可能となる。つまり、前階調と後階調とは全階調ではなく、階調間を間引いてＬＵＴを作成できる。また、上記補間により、メモリに格納されていない前階調値及び後階調値に係る正確な印加階調値を迅速に且つ容易に求めることが可能となる
したがって、本発明の液晶表示装置は、例えば、従来のような局所座標を用いない場合に比べて、メモリ等の容量を増加させることなく、高精度の印加階調値を迅速且つ容易に算出できる。その結果、補間演算を用いることで、ＬＵＴを格納するためのメモリの容量を極力削減しながら、しかも、適切なオーバーシュート駆動を実施して、自然な高速表示を行えるという効果を併せて奏する。
【０２４３】
上記複数のメモリブロックは、更に、上記階調電圧値を補間するのに使用し得る変数を格納することが好ましい。上記印加階調値取得手段は、１次式又は２次式を使用して上記階調電圧値を補間するようになっていることが好ましい。
【０２４４】
少なくとも一つの付加的条件用ルックアップテーブルを更に備え、各付加的条件用ルックアップテーブルは付加的条件に対応する複数のブロックを備えていることが好ましい。
【０２４５】
この場合、液晶の応答特性を変化させる付加的条件に応じてＬＵＴが少なくとも一つ用意されており、付加的条件をも加味した印加階調値を取得できる。この場合も、ＬＵＴを記憶するためのメモリ等の容量を小さく抑え得るように、全ての付加的条件ではなく、付加的条件間を間引いてＬＵＴの数を抑えている。
【０２４６】
したがって、従来のような局所座標を用いない上に、温度等の付加的条件を考慮しない補間値に比べて、メモリ等の容量を増加させることなく、付加的条件を考慮しながら高精度の印加階調値を算出できる。その結果、補間演算を用いることで、ＬＵＴを格納するためのメモリの容量を極力削減しながら、かつ、温度等の付加的条件に左右されることなく、適切なオーバーシュート駆動を実施して、自然な高速表示を行えるという効果を併せて奏する。
【０２４７】
上記印加階調値取得手段は、少なくとも二つのルックアップテーブルのメモリブロックを用いて階調電圧値を補間するようになっていることが好ましい。
【図面の簡単な説明】
【図１】図１は、本発明の実施の一形態に係る液晶表示装置において、補間演算を行う部材のブロック図である。
【図２】図２は、上記補間演算を行う部材を含む液晶表示装置のブロック図である。
【図３】図３（ａ）は４０℃におけるルックアップテーブル（テーブル１）であり、図３（ｂ）は０℃におけるルックアップテーブル（テーブル２）である。
【図４】図４は、本液晶表示装置が用いる２次元の局所座標を示したグラフである。
【図５】図５は、本液晶表示装置が用いる３次元の局所座標を示したグラフである。
【図６】図６は、図４の局所座標（２次元の局所座標）において、２次の補間式を用いたときの概略図である。
【図７】図７は、図５の局所座標（３次元の局所座標）において、２次の補間式を用いたときの概略図である。
【符号の説明】
１　　ＬＣＤコントローラー
２　　ＦＭ
３　　液晶パネル
５　　階調回路
６　　ＤＡＣ
７　　ＶＰＣ
８　　温度センサー
９　　コンピューター
１０　　液晶表示装置
１１　　補間演算素子
１２　　ＬＵＴメモリ
１３　　印加階調値取得部（印加階調値取得手段）
ξ　　　後階調局所軸
η　　　前階調局所軸
ζ　　　付加軸
【図１】
2004004629.tif 000003
【図２】
2004004629.tif 000004
【図３】
2004004629.tif 000005
【図４】
2004004629.tif 000006
【図５】
2004004629.tif 000007
【図６】
2004004629.tif 000008
【図７】
2004004629.tif 000009